(57)【特許請求の範囲】
【請求項１】
基地局装置と通信する端末装置であって、
前記基地局装置からプライマリセルを含む第１のセルグループを設定するための情報であって、前記第１のセルグループに属するセルのセルインデックスを含む第１の設定情報と、前記プライマリセルを含まない第２のセルグループを設定するための情報であって、前記第２のセルグループに属するセルのセルインデックスを含む第２の設定情報とを受信し、
前記第１のセルグループに属するセルの無線リソース要求設定情報を含む第１の上りリンク制御チャネルの設定情報を第１のセルで受信し、前記第２のセルグループに属するセルの無線リソース要求設定情報を含む第２の上りリンク制御チャネルの設定情報を第２のセルで受信する受信部と、
前記第１の設定情報に基づいて、前記第１のセルグループを設定し、前記第２の設定情報に基づいて、前記第２のセルグループを設定する制御部と、
前記第１のセルグループに対して無線リソース要求を行う場合は、前記第１の上りリンク制御チャネルの設定情報に基づいて、前記第１のセルで前記第１の上りリンク制御チャネルを送信し、
前記第２のセルグループに対して無線リソース要求を行う場合は、前記第２の上りリンク制御チャネルの設定情報に基づいて、前記第２のセルで前記第２の上りリンク制御チャネルを送信する送信部と、
を備え、
前記第１のセルグループおよび前記第２のセルグループは、いずれもデータ無線ベアラが設定されるセルグループであり、
前記第１のセルは前記プライマリセルである端末装置。
【請求項２】
前記送信部は、
前記第１のセルグループに属するセルにおいて送信データが存在する場合に、前記第１のセルグループにおける前記無線リソース要求の状態をペンディング状態とし、前記第２のセルグループに属するセルにおいて送信データが存在する場合に、前記第２のセルグループにおける前記無線リソース要求の状態をペンディング状態とし、
前記第１のセルグループにおける前記無線リソース要求の状態がペンディング状態であり、前記第１のセルで前記第１の上りリンク制御チャネルによる前記無線リソース要求が有効である場合に、前記第１のセルで前記第１の上りリンク制御チャネルを送信し、前記第２のセルグループにおける前記無線リソース要求の状態がペンディング状態であり、前記第２のセルで前記第２の上りリンク制御チャネルによる前記無線リソース要求が有効である場合に、前記第２のセルで前記第２の上りリンク制御チャネルを送信する
請求項１に記載の端末装置。
【請求項３】
端末装置と通信する基地局装置であって、
前記端末装置に対し、プライマリセルを含む第１のセルグループを設定するための情報であって、前記第１のセルグループに属するセルのセルインデックスを含む第１の設定情報と、前記プライマリセルを含まない第２のセルグループを設定するための情報であって、前記第２のセルグループに属するセルのセルインデックスを含む第２の設定情報とを送信し、
前記第１のセルグループに属するセルの無線リソース要求設定情報を含む第１の上りリンク制御チャネルの設定情報を第１のセルで受信し、前記第２のセルグループに属するセルの無線リソース要求設定情報を含む第２の上りリンク制御チャネルの設定情報を第２のセルで送信する送信部と、
前記第１のセルで前記第１のセルグループに対する無線リソース要求を含む前記第１の上りリンク制御チャネルを受信し、前記第２のセルで前記第２のセルグループに対する無線リソース要求を含む前記第２の上りリンク制御チャネルを受信する受信部と、
を備え、
前記第１のセルグループおよび前記第２のセルグループは、いずれもデータ無線ベアラが設定されるセルグループであり、
前記第１のセルは前記プライマリセルである基地局装置。
【請求項４】
基地局装置と通信する端末装置に用いられる通信方法であって、
前記基地局装置からプライマリセルを含む第１のセルグループを設定するための情報であって、前記第１のセルグループに属するセルのセルインデックスを含む第１の設定情報と、前記プライマリセルを含まない第２のセルグループを設定するための情報であって、前記第２のセルグループに属するセルのセルインデックスを含む第２の設定情報とを受信する過程と、
前記第１のセルグループに属するセルの無線リソース要求設定情報を含む第１の上りリンク制御チャネルの設定情報を第１のセルで受信し、前記第２のセルグループに属するセルの無線リソース要求設定情報を含む第２の上りリンク制御チャネルの設定情報を第２のセルで受信する過程と、
前記第１の設定情報に基づいて、前記第１のセルグループを設定する過程と、
前記第２の設定情報に基づいて、前記第２のセルグループを設定する過程と、
前記第１のセルグループに対して無線リソース要求を行う場合は、前記第１の上りリンク制御チャネルの設定情報に基づいて、前記第１のセルで前記第１の上りリンク制御チャネルを送信する過程と、
前記第２のセルグループに対して前記無線リソース要求を行う場合は、前記第２の上りリンク制御チャネルの設定情報に基づいて、前記第２のセルで前記第２の上りリンク制御チャネルを送信する過程と、
を有し、
前記第１のセルグループおよび前記第２のセルグループは、いずれもデータ無線ベアラが設定されるセルグループであり、
前記第１のセルは前記プライマリセルである通信方法。
【請求項５】
端末装置と通信する基地局装置に用いられる通信方法であって、
前記端末装置に対し、プライマリセルを含む第１のセルグループを設定するための情報であって、前記第１のセルグループに属するセルのセルインデックスを含む第１の設定情報と、前記プライマリセルを含まない第２のセルグループを設定するための情報であって、前記第２のセルグループに属するセルのセルインデックスを含む第２の設定情報とを送信する過程と、
前記第１のセルグループに属するセルの無線リソース要求設定情報を含む第１の上りリンク制御チャネルの設定情報を第１のセルで受信し、前記第２のセルグループに属するセルの無線リソース要求設定情報を含む第２の上りリンク制御チャネルの設定情報を第２のセルで送信する過程と、
前記第１のセルで前記第１のセルグループに対する無線リソース要求を含む前記第１の上りリンク制御チャネルを受信する過程と、
前記第２のセルで前記第２のセルグループに対する無線リソース要求を含む前記第２の上りリンク制御チャネルを受信する過程と、
を有し、
前記第１のセルグループおよび前記第２のセルグループは、いずれもデータ無線ベアラが設定されるセルグループであり、
前記第１のセルは前記プライマリセルである通信方法。
【発明の詳細な説明】
【技術分野】
【０００１】
本発明の実施形態は、複数のセルにおける効率的な上りリンク制御情報の送信手順を実現する端末装置、基地局装置、および通信方法に関する。
本願は、２０１３年３月１４日に、日本に出願された特願２０１３−０５１４００号に基づき優先権を主張し、その内容をここに援用する。
【背景技術】
【０００２】
標準化プロジェクトである３ＧＰＰ（3rd Generation Partnership Project）において、ＯＦＤＭ（Orthogonal Frequency-Division Multiplexing）通信方式やリソースブロックと呼ばれる所定の周波数・時間単位の柔軟なスケジューリングの採用によって、高速な通信を実現させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以降EUTRAと称する）の標準化が行なわれた。【０００３】
また、３ＧＰＰでは、より高速なデータ伝送を実現し、ＥＵＴＲＡに対して上位互換性を持つＡｄｖａｎｃｅｄ  ＥＵＴＲＡの検討を行っている。ＥＵＴＲＡでは、基地局装置がほぼ同一のセル構成（セルサイズ）から成るネットワークを前提とした通信システムであったが、Ａｄｖａｎｃｅｄ  ＥＵＴＲＡでは、異なる構成の基地局装置（セル）が同じエリアに混在しているネットワーク（異種無線ネットワーク、ヘテロジニアスネットワーク（Ｈｅｔｅｒｏｇｅｎｅｏｕｓ  Ｎｅｔｗｏｒｋ））を前提とした通信システムの検討が行われている。【０００４】
ヘテロジニアスネットワークのように、従来よりもセル半径の小さいセル（小セル、スモールセル）が配置される通信システムにおいて、従来のセル半径の大きいセル（マクロセル）とスモールセルとの基地局装置に同時に接続する機能（Ｄｕａｌ  Ｃｏｎｎｅｃｔｉｖｉｔｙ（デュアルコネクティビティ、双対接続性））が検討されている（非特許文献１）。【０００５】
例えば、端末装置がセル半径（セルサイズ）の大きいセル（マクロセル）とセル半径の小さいセル（スモールセル（または、ピコセル））との間でＤｕａｌ  Ｃｏｎｎｅｃｔｉｖｉｔｙを実現しようとするとき、マクロセルとスモールセル間のバックボーン回線（Ｂａｃｋｈａｕｌ（バックホール））が低速なことにより、端末装置がマクロセル経由でスモールセルのフィードバック情報を提供すると、遅延によってスモールセルにおけるスケジューリングの効率が低下する可能性がある。【０００６】
また、非特許文献２では、複数のセルの基地局装置と同時に接続する際に、複数の上りリンクに対して物理上りリンク制御チャネルを割り当てることで、端末装置と基地局装置との間で、複数の上りリンク制御情報をやり取りすることを提案している。
【先行技術文献】
【非特許文献】
【０００７】
【非特許文献１】Ｒ２−１３０４４４，ＮＴＴ  ＤＯＣＯＭＯ，  ＩＮＣ．，３ＧＰＰ  ＴＳＧ  ＲＡＮ２＃８１，Ｓｔ．  Ｊｕｌｉａｎ’ｓ，  Ｍａｌｔａ，  Ｊａｎｕａｒｙ  ２８ｔｈ  −  Ｆｅｂｒｕａｒｙ  １ｓｔ，  ２０１３．ｈｔｔｐ：／／ｗｗｗ．３ｇｐｐ．ｏｒｇ／ｆｔｐ／ｔｓｇ＿ｒａｎ／ＷＧ２＿ＲＬ２／ＴＳＧＲ２＿８１／Ｄｏｃｓ／
【非特許文献２】ＲＰ−１３０３８０，  Ｎｏｋｉａ  Ｃｏｒｐｏｒａｔｉｏｎ，３ＧＰＰ  ＴＳＧ  ＲＡＮ＃６０，Ｏｒａｎｊｅｓｔａｄ，  Ａｒｕｂａ，  Ｊｕｎｅ  １１ｔｈ−１４ｔｈ，  ２０１３．ｈｔｔｐ：／／ｗｗｗ．３ｇｐｐ．ｏｒｇ／ｆｔｐ／ｔｓｇ＿ｒａｎ／ＴＳＧ＿ＲＡＮ／ＴＳＧＲ＿５９／Ｄｏｃｓ／
【発明の概要】
【発明が解決しようとする課題】
【０００８】
非特許文献２のように、複数の上りリンクに対して物理上りリンク制御チャネルを割り当てる方法は、マクロセルとスモールセル間のバックボーン回線（Ｂａｃｋｈａｕｌ（バックホール））が低速である場合に、端末装置からスモールセルに対して直接フィードバック情報を提供することができるため、スモールセルにおけるスケジューリングが遅延するという問題を解消することが可能となる。【０００９】
しかしながら、複数の上りリンクに対して物理上りリンク制御チャネルを割り当てる際に、上りリンクの送信タイミング管理との関係について、また、どのセルで物理上りリンク制御チャネルを送信するとスケジューリングが効率的となるかという検討については今までなされていない。特に、端末装置が、複数のセルで物理上りリンク制御チャネルを使用可能な状態であるとき、どの情報に基づいて物理上りリンク制御チャネルを送信するかについての検討がされておらず、送信手順が非効率になるという問題があった。【００１０】
上記の課題を鑑みて、本発明の実施形態の目的は、複数のセルにおける効率的な上りリンク制御情報の送信手順を実現する端末装置、基地局装置、および通信方法を提供することを目的とする。
【課題を解決するための手段】
【００１１】
上記の目的を達成するために以下のような手段を講じた。すなわち、本発明の実施形態における端末装置は、複数の基地局装置と接続する端末装置であって、複数のセルを１つのプライマリセルを含む第１のセルグループと、プライマリセルを含まない第２のセルグループとにグループ化し、基地局装置から、第１のセルグループと第２のセルグループにそれぞれ対応する無線リソース要求に用いられる上りリンク制御チャネル設定情報を受信し、第１のセルグループに対する無線リソース要求を行う場合は、第１のセルグループのセルに対して上りリンク制御チャネルを送信し、第２のセルグループに対する無線リソース要求を行う場合は、第２のセルグループのセルに対して上りリンク制御チャネルを送信する手段を備える、複数のセルを用いて端末装置と複数の基地局装置とが接続される通信システムにおける端末装置である。【００１２】
また、本発明の実施形態における端末装置は、セルグループ毎の上りリンクバッファに基づいて、第１のセルグループまたは第２のセルグループにおける無線リソース要求をペンディング状態に変更し、前記ペンディング状態のセルグループに対応する前記上りリンク制御チャネルを送信する手段を備えてもよい。【００１３】
また、本発明の実施形態における端末装置は、前記第１のセルグループと前記第２のセルグループに対して前記上りリンク制御チャネルの最大送信回数をそれぞれ個別に設定し、前記第２のセルグループのセルに対する前記上りリンク制御チャネルの送信回数が最大送信回数に達した場合に、前記第２のセルグループの前記上りリンク制御チャネル設定情報をリリースする手段を備えてもよい。【００１４】
このように、端末装置は、基地局装置に対して適切な無線リソース要求の送信処理方法を選択することによって、上りリンク制御情報の送信手順を効率化することができる。【００１５】
また、本発明の実施形態における基地局装置は、端末装置と接続する基地局装置であって、端末装置に対し、複数のセルを１つのプライマリセルを含む第１のセルグループと、プライマリセルを含まない第２のセルグループとにグループ化する情報を送信し、第１のセルグループと第２のセルグループにそれぞれ対応する無線リソース要求に用いられる上りリンク制御チャネル設定情報を送信し、端末装置において、第１のセルグループに対する無線リソース要求が行なわれる場合に第１のセルグループのセルに対する上りリンク制御チャネルを送信させ、第２のセルグループに対する無線リソース要求が行なわれる場合に第２のセルグループのセルに対する上りリンク制御チャネルを送信させる手段を備える、複数のセルを用いて端末装置と複数の基地局装置とが接続される通信システムにおける基地局装置である。【００１６】
また、本発明の実施形態における基地局装置は、プライマリセルと第２のセルグループにおける１つのセルに対して設定される、無線リソース要求に用いられる上りリンク制御チャネル設定情報を端末装置に通知する手段を備えてもよい。【００１７】
このように、基地局装置は、端末装置に対して複数のセルを用いた適切なスケジューリングを提供することによって、端末装置に対するスループットを向上することができる。【００１８】
また、本発明の実施形態における通信システムは、端末装置と複数の基地局装置とが接続される通信システムであって、基地局装置は、複数のセルを１つのプライマリセルを含む第１のセルグループと、プライマリセルを含まない第２のセルグループとにグループ化する情報を送信し、第１のセルグループと第２のセルグループにそれぞれ対応する無線リソース要求に用いられる上りリンク制御チャネル設定情報を送信し、端末装置は、第１のセルグループと第２のセルグループにそれぞれ対応する無線リソース要求に用いられる上りリンク制御チャネル設定情報を受信し、第１のセルグループに対する無線リソース要求を行う場合は、第１のセルグループのセルに対して上りリンク制御チャネルを送信し、第２のセルグループに対する無線リソース要求を行う場合は、第２のセルグループのセルに対して上りリンク制御チャネルを送信する手段と、を備える通信システムである。【００１９】
このように、通信システムの端末装置は、基地局装置に対して適切な無線リソース要求の送信処理方法を選択することによって、上りリンク制御情報の送信手順を効率化することができ、通信システムの基地局装置は、端末装置に対して複数のセルを用いた適切なスケジューリングを提供することによって、端末装置に対するスループットを向上することができる。【００２０】
また、本発明の実施形態における通信方法は、複数の基地局装置と接続する端末装置の通信方法であって、複数のセルを１つのプライマリセルを含む第１のセルグループと、プライマリセルを含まない第２のセルグループとにグループ化するステップと、基地局装置から、第１のセルグループと第２のセルグループにそれぞれ対応する無線リソース要求に用いられる上りリンク制御チャネル設定情報を受信するステップと、第１のセルグループに対する無線リソース要求を行う場合は、第１のセルグループのセルに対して上りリンク制御チャネルを送信し、第２のセルグループに対する無線リソース要求を行う場合は、第２のセルグループのセルに対して上りリンク制御チャネルを送信するステップとを少なくとも備える、複数のセルを用いて端末装置と複数の基地局装置とが接続される通信システムにおける端末装置の通信方法である。【００２１】
このように、端末装置の通信方法は、基地局装置に対して適切な無線リソース要求の送信処理方法を選択することによって、上りリンク制御情報の送信手順を効率化することができる。【００２２】
また、本発明の実施形態における通信方法は、端末装置と接続する基地局装置の通信方法であって、端末装置に対し、複数のセルを１つのプライマリセルを含む第１のセルグループと、プライマリセルを含まない第２のセルグループとにグループ化する情報を送信するステップと、第１のセルグループと第２のセルグループにそれぞれ対応する無線リソース要求に用いられる上りリンク制御チャネル設定情報を送信するステップと、端末装置において、第１のセルグループに対する無線リソース要求が行なわれる場合に第１のセルグループのセルに対する上りリンク制御チャネルを送信させ、第２のセルグループに対する無線リソース要求が行なわれる場合に第２のセルグループのセルに対する上りリンク制御チャネルを送信させるステップとを少なくとも備える、複数のセルを用いて端末装置と複数の基地局装置とが接続される通信システムにおける基地局装置の通信方法である。【００２３】
このように、基地局装置の通信方法は、端末装置に対して複数のセルを用いた適切なスケジューリングを提供することによって、端末装置に対するスループットを向上することができる。【００２４】
また、本発明の実施形態における集積回路は、複数の基地局装置と接続する端末装置に実装される集積回路であって、複数のセルを１つのプライマリセルを含む第１のセルグループと、プライマリセルを含まない第２のセルグループとにグループ化する機能と、基地局装置から、第１のセルグループと第２のセルグループにそれぞれ対応する無線リソース要求に用いられる上りリンク制御チャネル設定情報を受信する機能と、第１のセルグループに対する無線リソース要求を行う場合は、第１のセルグループのセルに対して上りリンク制御チャネルを送信し、第２のセルグループに対する無線リソース要求を行う場合は、第２のセルグループのセルに対して上りリンク制御チャネルを送信する機能と、を含む一連の機能を備える、複数のセルを用いて端末装置と複数の基地局装置とが接続される通信システムにおける端末装置の集積回路である。【００２５】
このように、端末装置の集積回路は、基地局装置に対して適切な無線リソース要求の送信処理方法を選択することによって、上りリンク制御情報の送信手順を効率化することができる。【００２６】
また、本発明の実施形態における集積回路は、端末装置と接続する基地局装置の集積回路であって、端末装置に対し、複数のセルを１つのプライマリセルを含む第１のセルグループと、プライマリセルを含まない第２のセルグループとにグループ化する情報を送信する機能と、第１のセルグループと第２のセルグループにそれぞれ対応する無線リソース要求に用いられる上りリンク制御チャネル設定情報を送信する機能と、端末装置において、第１のセルグループに対する無線リソース要求が行なわれる場合に第１のセルグループのセルに対する上りリンク制御チャネルを送信させ、第２のセルグループに対する無線リソース要求が行なわれる場合に第２のセルグループのセルに対する上りリンク制御チャネルを送信させる機能と、を含む一連の機能を備える、複数のセルを用いて端末装置と複数の基地局装置とが接続される通信システムにおける基地局装置の集積回路である。【００２７】
このように、基地局装置の集積回路は、端末装置に対して複数のセルを用いた適切なスケジューリングを提供することによって、端末装置に対するスループットを向上することができる。【００２８】
本明細書では、複数のセルにおける効率的な上りリンク制御情報の送信手順を実現する端末装置、基地局装置、通信システム、通信方法および集積回路に関する技術という点において各実施形態を開示するが、各実施形態に対して適用可能な通信方式は、ＥＵＴＲＡまたはＡｄｖａｎｃｅｄ  ＥＵＴＲＡのようにＥＵＴＲＡと上位互換性のある通信方式に限定されるものではない。【００２９】
例えば、本明細書で述べられる技術は、符号分割多重アクセス（ＣＤＭＡ）、時分割多重アクセス（ＴＤＭＡ）、周波数分割多重アクセス（ＦＤＭＡ）、直交ＦＤＭＡ（ＯＦＤＭＡ）、シングルキャリアＦＤＭＡ（ＳＣ−ＦＤＭＡ）、およびその他のアクセス方式等を用いた、種々の通信システムにおいて使用され得る。また、本明細書において、システムとネットワークは同義的に使用され得る。【００３０】
また、端末装置と基地局装置は、キャリア・アグリゲーションによって複数の異なる周波数バンド（周波数帯）の周波数（コンポーネントキャリア、または周波数帯域）を集約（アグリゲート、ａｇｇｒｅｇａｔｅ）して一つの周波数（周波数帯域）のように扱う技術を適用してもよい。コンポーネントキャリアには、上りリンクに対応する上りリンクコンポーネントキャリアと、下りリンクに対応する下りリンクコンポーネントキャリアとがある。本明細書において、周波数と周波数帯域は同義的に使用され得る。【００３１】
例えば、キャリア・アグリゲーションによって周波数帯域幅が２０ＭＨｚのコンポーネントキャリアを５つ集約した場合、キャリア・アグリゲーションを可能な能力を持つ端末装置はこれらを１００ＭＨｚの周波数帯域幅とみなして送受信を行う。なお、集約するコンポーネントキャリアは連続した周波数であっても、全てまたは一部が不連続となる周波数であってもよい。例えば、使用可能な周波数バンドが８００ＭＨｚ帯、２ＧＨｚ帯、３．５ＧＨｚ帯である場合、あるコンポーネントキャリアが８００ＭＨｚ帯、別のコンポーネントキャリアが２ＧＨｚ帯、さらに別のコンポーネントキャリアが３．５ＧＨｚ帯で送信されていてもよい。【００３２】
また、同一周波数帯の連続または不連続の複数のコンポーネントキャリアを集約することも可能である。各コンポーネントキャリアの周波数帯域幅は端末装置の受信可能周波数帯域幅（例えば２０ＭＨｚ）よりも狭い周波数帯域幅（例えば５ＭＨｚや１０ＭＨｚ）であっても良く、集約する周波数帯域幅が各々異なっていても良い。周波数帯域幅は、後方互換性を考慮して従来のセルの周波数帯域幅のいずれかと等しいことが望ましいが、異なる周波数帯域幅でも構わない。また、後方互換性のないコンポーネントキャリア（キャリアタイプ）であってもよい。なお、基地局装置が端末装置に割り当てる（設定する、追加する）上りリンクコンポーネントキャリアの数は、下りリンクコンポーネントキャリアの数と同じか少ないことが望ましい。【００３３】
無線リソース要求のための上りリンク制御チャネルの設定が行われる上りリンクコンポーネントキャリアと、当該上りリンクコンポーネントキャリアとセル固有接続される下りリンクコンポーネントキャリアから構成されるセルは、プライマリセル（ＰＣｅｌｌ：Ｐｒｉｍａｒｙ  ｃｅｌｌ）と称される。また、プライマリセル以外のコンポーネントキャリアから構成されるセルは、セカンダリセル（ＳＣｅｌｌ：Ｓｅｃｏｎｄａｒｙ  ｃｅｌｌ）と称される。端末装置は、プライマリセルでページングメッセージの受信、報知情報の更新の検出、初期アクセス手順、セキュリティ情報の設定などを行う一方、セカンダリセルではこれらを行わないでもよい。【００３４】
プライマリセルは活性化（Ａｃｔｉｖａｔｉｏｎ）および不活性化（Ｄｅａｃｔｉｖａｔｉｏｎ）の制御の対象外であるが（つまり必ず活性化しているとみなされる）、セカンダリセルは活性化および不活性化という状態（ｓｔａｔｅ）を持ち、これらの状態の変更は、基地局装置から明示的に指定されるほか、コンポーネントキャリア毎に端末装置に設定されるタイマーに基づいて状態が変更される。プライマリセルとセカンダリセルとを合わせてサービングセル（在圏セル）と称する。
【発明の効果】
【００３５】
本発明の実施形態によれば、上りリンク制御情報の送信手順を効率的に行うことによって、スループットを向上させる端末装置、基地局装置、通信システム、通信方法および集積回路に関する技術を提供することが出来る。
【図面の簡単な説明】
【００３６】
【図１】本発明の実施形態に係る端末装置の概略構成の一例を示すブロック図である。
【図２】本発明の実施形態に係る基地局装置の概略構成の一例を示すブロック図である。
【図３】本発明の実施形態に係る端末装置に設定される送受信制御に関する設定内容の一例を示した図である。
【図４】本発明の第１の実施形態における、端末装置の無線リソース要求に関する送信方法選択処理の一例を示したフローチャート図である。
【図５】本発明の第１の実施形態における、端末装置の無線リソース要求の送信回数に関する処理の一例を示したフローチャート図である。
【図６】発明の第１の実施形態における、端末装置の送信タイミングタイマーに関する処理の一例を示したフローチャート図である。
【図７】本発明の第２の実施形態における、端末装置の無線リソース要求に関する送信方法選択処理の一例を示したフローチャート図である。
【図８】本発明の第３の実施形態における、端末装置の無線リソース要求に関する送信方法選択処理の一例を示したフローチャート図である。
【図９】本発明の実施形態に係るDual connectivityのアーキテクチャーの一例を示す図である。
【図１０】本発明の実施形態に係るDual connectivityのアーキテクチャーの別の一例を示す図である。
【発明を実施するための形態】
【００３７】
本発明の各実施形態に関わる技術について以下に簡単に説明する。
【００３８】
[物理チャネル／物理シグナル]
ＥＵＴＲＡおよびＡｄｖａｎｃｅｄ  ＥＵＴＲＡで使用される主な物理チャネル、および物理シグナルについて説明を行なう。チャネルとは信号の送信に用いられる媒体を意味し、物理チャネルとは信号の送信に用いられる物理的な媒体を意味する。本発明において、物理チャネルは、信号と同義的に使用され得る。物理チャネルは、ＥＵＴＲＡ、およびＡｄｖａｎｃｅｄ  ＥＵＴＲＡにおいて、今後追加、または、その構造やフォーマット形式が変更または追加される可能性があるが、変更または追加された場合でも本発明の各実施形態の説明には影響しない。
【００３９】
ＥＵＴＲＡおよびＡｄｖａｎｃｅｄ  ＥＵＴＲＡでは、物理チャネルまたは物理シグナルのスケジューリングについて無線フレームを用いて管理している。１無線フレームは１０ｍｓであり、１無線フレームは１０サブフレームで構成される。さらに、１サブフレームは２スロットで構成される（すなわち、１サブフレームは１ｍｓ、１スロットは０．５ｍｓである）。また、物理チャネルが配置されるスケジューリングの最小単位としてリソースブロックを用いて管理している。リソースブロックとは、周波数軸を複数サブキャリア（例えば１２サブキャリア）の集合で構成される一定の周波数領域と、一定の送信時間間隔（１スロット）で構成される領域で定義される。
【００４０】
同期シグナル（Synchronization Signals）は、３種類のプライマリ同期シグナルと、周波数領域で互い違いに配置される３１種類の符号から構成されるセカンダリ同期シグナルとで構成され、プライマリ同期シグナルとセカンダリ同期シグナルの信号の組み合わせによって、基地局装置を識別する５０４通りのセル識別子（物理セルＩＤ（Physical Cell Identity; PCI））と、無線同期のためのフレームタイミングが示される。端末装置は、セルサーチによって受信した同期シグナルの物理セルＩＤを特定する。
【００４１】
物理報知情報チャネル（PBCH; Physical Broadcast Channel）は、セル内の端末装置で共通に用いられる制御パラメータ（報知情報（システム情報）；System information）を通知（設定）する目的で送信される。物理報知情報チャネルで通知されない報知情報は、物理下りリンク制御チャネルで報知情報が送信される無線リソースがセル内の端末装置に対して通知され、通知された無線リソースにおいて、物理下りリンク共用チャネルによって報知情報を通知するレイヤ３メッセージ（システムインフォメーション）が送信される。
【００４２】
報知情報として、セル個別の識別子を示すセルグローバル識別子（CGI; Cell Global Identifier）、ページングによる待ち受けエリアを管理するトラッキングエリア識別子（TAI; Tracking Area Identifier）、ランダムアクセス設定情報（送信タイミングタイマーなど）、当該セルにおける共通無線リソース設定情報、周辺セル情報、上りリンクアクセス制限情報などが通知される。
【００４３】
下りリンクリファレンスシグナルは、その用途によって複数のタイプに分類される。例えば、セル固有ＲＳ（Cell-specific reference signals）は、セル毎に所定の電力で送信されるパイロットシグナルであり、所定の規則に基づいて周波数領域および時間領域で周期的に繰り返される下りリンクリファレンスシグナルである。端末装置は、セル固有ＲＳを受信することでセル毎の受信品質を測定する。また、端末装置は、セル固有ＲＳと同時に送信される物理下りリンク制御チャネル、または物理下りリンク共用チャネルの復調のための参照用の信号としても下りセル固有ＲＳを使用する。セル固有ＲＳに使用される系列は、セル毎に識別可能な系列が用いられる。
【００４４】
また、下りリンクリファレンスシグナルは下りリンクの伝搬路変動の推定にも用いられる。伝搬路変動の推定に用いられる下りリンクリファレンスシグナルのことをチャネル状態情報リファレンスシグナル（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌｓ；ＣＳＩ−ＲＳ）と称する。また、端末装置に対して個別に設定される下りリンクリファレンスシグナルは、ＵＥ  ｓｐｅｃｉｆｉｃ  Ｒｅｆｅｒｅｎｃｅ  Ｓｉｇｎａｌｓ（ＵＲＳ）またはＤｅｄｉｃａｔｅｄ  ＲＳ（ＤＲＳ）と称され、物理下りリンク制御チャネル、または物理下りリンク共用チャネルを復調するときのチャネルの伝搬路補償処理のために参照される。
【００４５】
物理下りリンク制御チャネル（PDCCH; Physical Downlink Control Channel）は、各サブフレームの先頭からいくつかのＯＦＤＭシンボル（例えば１〜４ＯＦＤＭシンボル）で送信される。拡張物理下りリンク制御チャネル（EPDCCH; Enhanced Physical Downlink Control Channel）は、物理下りリンク共用チャネルＰＤＳＣＨが配置されるＯＦＤＭシンボルに配置される物理下りリンク制御チャネルである。ＰＤＣＣＨまたはＥＰＤＣＣＨは、端末装置に対して基地局装置のスケジューリングに従った無線リソース割り当て情報や、送信電力の増減の調整量を指示する情報を通知する目的で使用される。以降、単に物理下りリンク制御チャネル（ＰＤＣＣＨ）と記載した場合、特に明記がなければ、ＰＤＣＣＨとＥＰＤＣＣＨの両方の物理チャネルを意味する。
【００４６】
端末装置は、下りリンクデータや下りリンク制御データであるレイヤ３メッセージ（ページング、ハンドオーバーコマンドなど）を送受信する前に自装置宛の物理下りリンク制御チャネルを監視（モニタ）し、自装置宛の物理下りリンク制御チャネルを受信することで、送信時には上りリンクグラント、受信時には下りリンクグラント（下りリンクアサインメント）と呼ばれる無線リソース割り当て情報を物理下りリンク制御チャネルから取得する必要がある。なお、物理下りリンク制御チャネルは、上述したＯＦＤＭシンボルで送信される以外に、基地局装置から端末装置に対して個別（ｄｅｄｉｃａｔｅｄ）に割り当てられるリソースブロックの領域で送信されるように構成することも可能である。
【００４７】
物理上りリンク制御チャネル（PUCCH; Physical Uplink Control Channel）は、物理下りリンク共用チャネルで送信されたデータの受信確認応答（ＡＣＫ／ＮＡＣＫ；Ａｃｋｎｏｗｌｅｄｇｅｍｅｎｔ／Ｎｅｇａｔｉｖｅ  Ａｃｋｎｏｗｌｅｄｇｅｍｅｎｔ）や下りリンクの伝搬路（チャネル状態）情報（ＣＳＩ；Ｃｈａｎｎｅｌ  Ｓｔａｔｅ  Ｉｎｆｏｒｍａｔｉｏｎ）、上りリンクの無線リソース割り当て要求（無線リソース要求、スケジューリングリクエスト（ＳＲ；Ｓｃｈｅｄｕｌｉｎｇ  Ｒｅｑｕｅｓｔ））を行なうために使用される。
【００４８】
ＣＳＩは、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＰＴＩ（Ｐｒｅｃｏｄｉｎｇ  Ｔｙｐｅ  Ｉｎｄｉｃａｔｏｒ）、ＲＩ（Ｒａｎｋ  Ｉｎｄｉｃａｔｏｒ）を含む。各Ｉｎｄｉｃａｔｏｒは、Ｉｎｄｉｃａｔｉｏｎと表記される場合もあるが、その用途と意味は同じである。
【００４９】
物理下りリンク共用チャネル（PDSCH; Physical Downlink Shared Channel）は、下りリンクデータの他、ページングや物理報知情報チャネルで通知されない報知情報（システムインフォメーション）をレイヤ３メッセージとして端末装置に通知するためにも使用される。物理下りリンク共用チャネルの無線リソース割り当て情報は、物理下りリンク制御チャネルで示される。物理下りリンク共用チャネルは物理下りリンク制御チャネルが送信されるＯＦＤＭシンボル以外のＯＦＤＭシンボルに配置されて送信される。すなわち、物理下りリンク共用チャネルと物理下りリンク制御チャネルは１サブフレーム内で時分割多重されている。
【００５０】
物理上りリンク共用チャネル（PUSCH; Physical Uplink Shared Channel）は、主に上りリンクデータと上りリンク制御データを送信し、下りリンクの受信品質やＡＣＫ／ＮＡＣＫなどの制御データを含めることも可能である。また、上りリンクデータの他、上りリンク制御情報をレイヤ３メッセージとして端末装置から基地局装置に通知するためにも使用される。また、下りリンクと同様に物理上りリンク共用チャネルの無線リソース割り当て情報は、物理下りリンク制御チャネルで示される。
【００５１】
上りリンクリファレンスシグナル（上りリンク参照信号；Uplink Reference Signal、上りリンクパイロット信号、上りリンクパイロットチャネルとも呼称する）は、基地局装置が、物理上りリンク制御チャネルＰＵＣＣＨおよび／または物理上りリンク共用チャネルＰＵＳＣＨを復調するために使用する復調参照信号（ＤＭＲＳ；Demodulation Reference Signal）と、基地局装置が、主に、上りリンクのチャネル状態を推定するために使用するサウンディング参照信号（ＳＲＳ；Sounding Reference Signal）が含まれる。また、サウンディング参照信号には、周期的に送信される周期的サウンディング参照信号（Ｐｅｒｉｏｄｉｃ  ＳＲＳ）と、基地局装置から指示されたときに送信される非周期的サウンディング参照信号（Ａｐｅｒｉｏｄｉｃ  ＳＲＳ）とがある。
【００５２】
物理ランダムアクセスチャネル（PRACH; Physical Random Access Channel）は、プリアンブル系列を通知（設定）するために使用されるチャネルであり、ガードタイムを有する。プリアンブル系列は、複数のシーケンスによって基地局装置へ情報を通知するように構成される。例えば、６４種類のシーケンスが用意されている場合、６ビットの情報を基地局装置へ示すことができる。物理ランダムアクセスチャネルは、端末装置の基地局装置へのアクセス手段として用いられる。
【００５３】
端末装置は、物理上りリンク制御チャネル未設定時の上りリンクの無線リソース要求のため、または、上りリンク送信タイミングを基地局装置の受信タイミングウィンドウに合わせるために必要な送信タイミング調整情報（タイミングアドバンス（Ｔｉｍｉｎｇ  Ａｄｖａｎｃｅ；ＴＡ）とも呼ばれる）を基地局装置に要求するためなどに物理ランダムアクセスチャネルを用いる。また、基地局装置は、端末装置に対して物理下りリンク制御チャネルを用いてランダムアクセス手順の開始を要求することもできる。
【００５４】
具体的には、端末装置は、基地局装置より設定された物理ランダムアクセスチャネル用の無線リソースを用いてプリアンブル系列を送信する。送信タイミング調整情報を受信した端末装置は、報知情報によって共通的に設定される（またはレイヤ３メッセージで個別に設定される）送信タイミング調整情報の有効時間を計時する送信タイミングタイマー（ＴＡ  ｔｉｍｅｒ）を設定し、送信タイミングタイマーの有効時間中（計時中）は送信タイミング調整状態、有効期間外（停止中）は送信タイミング非調整状態（送信タイミング未調整状態）としてセル（セルグループ）の上りリンクの状態を管理する。
【００５５】
レイヤ３メッセージは、端末装置と基地局装置のＲＲＣ（無線リソース制御）層でやり取りされる制御平面（ＣＰ（Ｃｏｎｔｒｏｌ−ｐｌａｎｅ、Ｃ−Ｐｌａｎｅ））のプロトコルで取り扱われるメッセージであり、ＲＲＣシグナリングまたはＲＲＣメッセージと同義的に使用され得る。なお、制御平面に対し、ユーザデータを取り扱うプロトコルのことをユーザ平面（ＵＰ（Ｕｓｅｒ−ｐｌａｎｅ、Ｕ−Ｐｌａｎｅ））と称する。なお、それ以外の物理チャネルは、本発明の各実施形態に関わらないため詳細な説明は省略する。
【００５６】
[無線ネットワーク]
基地局装置によって制御される各周波数の通信可能範囲（通信エリア）はセルとしてみなされる。このとき、基地局装置がカバーする通信エリアは周波数毎にそれぞれ異なる広さ、異なる形状であっても良い。また、カバーするエリアが周波数毎に異なっていてもよい。基地局装置の種別やセル半径の大きさが異なるセルが、同一の周波数に混在して一つの通信システムを形成している無線ネットワークのことを、ヘテロジニアスネットワークと称する。
【００５７】
端末装置は、セルの中を通信エリアとみなして動作する。端末装置が、あるセルから別のセルへ移動するときは、非無線接続時（非通信中）はセル再選択手順、無線接続時（通信中）はハンドオーバー手順によって別の適切なセルへ移動する。適切なセルとは、一般的に端末装置のアクセスが基地局装置から指定される情報に基づいて禁止されていないと判断したセルであって、かつ、下りリンクの受信品質が所定の条件を満足するセルのことを示す。
【００５８】
なお、キャリア・アグリゲーションは、複数のコンポーネントキャリア（周波数帯域）を用いた複数のセルによる通信であり、セル・アグリゲーションとも称される。なお、端末装置は、周波数毎にリレー局装置（またはリピーター）を介して基地局装置と無線接続されても良い。すなわち、本発明の各実施形態の基地局装置は、リレー局装置に置き換えることが出来る。
【００５９】
基地局装置は端末装置が該基地局装置で通信可能なエリアであるセルを周波数毎に管理する。１つの基地局装置が複数のセルを管理していてもよい。セルは、端末装置と通信可能なエリアの大きさ（セルサイズ）に応じて複数の種別に分類される。例えば、セルは、マクロセルとスモールセルに分類される。さらに、スモールセルは、そのセルのエリアの大きさに応じて、フェムトセル、ピコセル、ナノセルに分類される。また、端末装置がある基地局装置と通信可能であるとき、その基地局装置のセルのうち、端末装置との通信に使用されるように設定されているセルは在圏セル（Serving cell）であり、その他の通信に使用されないセルは周辺セル（Neighboring cell）と称される。
【００６０】
[Dual connectivity]
図９および図１０を用いてDual connectivityの基本構造（アーキテクチャー）について説明する。図９および図１０は、端末装置１が、複数の基地局装置２（図中では基地局装置２−１、基地局装置２−２で示す）と同時に接続していることを示している。基地局装置２−１はマクロセルを構成する基地局装置であり、基地局装置２−２はスモールセルを構成する基地局装置であるとする。このように、端末装置１が、複数の基地局装置２に属するセルを用いて同時に接続することをDual connectivityと称する。端末装置１が接続する各基地局装置２のセルは、同じ周波数で運用されていてもよいし、異なる周波数で運用されていてもよい。
【００６１】
なお、キャリア・アグリゲーションは、複数のセルを一つの基地局装置２が管理し、各セルの周波数が異なるという点がDual connectivityと異なる。換言すると、キャリア・アグリゲーションは、一つの端末装置１と一つの基地局装置２とを、複数のセルを介して接続させる技術であるのに対し、Dual connectivityは、一つの端末装置１と複数の基地局装置２とを、複数のセルを介して接続させる技術である。
【００６２】
図９および図１０において、において、基地局装置２−１または基地局装置２−２は、ＭＭＥ３００とＳＧＷ４００とバックボーン回線で接続されている。ＭＭＥ３００は、ＭＭＥ（Mobility Management Entity）に対応する上位の制御局装置であり、端末装置１の移動性管理や認証制御（セキュリティ制御）および基地局装置２に対するユーザデータの経路を設定する役割などを持つ。ＳＧＷ４００は、Ｓｅｒｖｉｎｇ  Ｇａｔｅｗａｙ（Ｓ−ＧＷ）に対応する上位の制御局装置であり、ＭＭＥ３００によって設定された端末装置１へのユーザデータの経路に従ってユーザデータを伝送する役割などを持つ。
【００６３】
また、図９および図１０において、基地局装置２−１または基地局装置２−２とＳＧＷ４００の接続経路は、ＳＧＷインターフェースＮ１０と称される。また、基地局装置２−１または基地局装置２−２とＭＭＥ３００の接続経路は、ＭＭＥインターフェースＮ２０と称される。また、基地局装置２−１と基地局装置２−２の接続経路は、基地局インターフェースＮ３０と称される。ＳＧＷインターフェースＮ１０は、ＥＵＴＲＡにおいてＳ１−Ｕインターフェースとも称される。また、ＭＭＥインターフェースＮ２０は、ＥＵＴＲＡにおいてＳ１−ＭＭＥインターフェースとも称される。また、基地局インターフェースＮ３０は、ＥＵＴＲＡにおいてＸ２インターフェースとも称される。
【００６４】
Dual connectivityを実現するアーキテクチャーとして、図９のような構成をとることができる。図９において、基地局装置２−１とＭＭＥ３００は、ＭＭＥインターフェースＮ２０によって接続されている。また、基地局装置２−１とＳＧＷ４００は、ＳＧＷインターフェースＮ１０によって接続されている。また、基地局装置２−１は、基地局インターフェースＮ３０を介して、基地局装置２−２へＭＭＥ３００、および／またはＳＧＷ４００との通信経路を提供する。換言すると、基地局装置２−２は、基地局装置２−１を経由してＭＭＥ３００、および／またはＳＧＷ４００と接続されている。
【００６５】
また、Dual connectivityを実現する別のアーキテクチャーとして、図１０のような構成をとることができる。図１０において、基地局装置２−１とＭＭＥ３００は、ＭＭＥインターフェースＮ２０によって接続されている。また、基地局装置２−１とＳＧＷ４００は、ＳＧＷインターフェースＮ１０によって接続されている。基地局装置２−１は、基地局インターフェースＮ３０を介して、基地局装置２−２へＭＭＥ３００との通信経路を提供する。換言すると、基地局装置２−２は、基地局装置２−１を経由してＭＭＥ３００と接続されている。また、基地局装置２−２は、ＳＧＷインターフェースＮ１０を介してＳＧＷ４００と接続されている。
【００６６】
なお、基地局装置２−２とＭＭＥ３００が、ＭＭＥインターフェースＮ２０によって直接接続されるような構成であってもよい。
【００６７】
以上の事項を考慮しつつ、以下、添付図面を参照しながら本発明の適切な実施形態について詳細に説明する。なお、本発明の実施形態の説明において、本発明の実施形態に関連した公知の機能や構成についての具体的な説明が、本発明の実施形態の要旨を不明瞭にすると判断される場合には、その詳細な説明を省略する。
【００６８】
＜第１の実施形態＞
本発明の第１の実施形態について以下に説明する。
【００６９】
図１は、本発明の第１の実施形態による端末装置１の一例を示すブロック図である。本端末装置１は、受信部１０１、復調部１０２、復号部１０３、測定処理部１０４、制御部１０５、上りリンクバッファ制御部１０６、符号部１０７、変調部１０８、送信部１０９、上りリンク無線リソース要求制御部１１０、ランダムアクセス制御部１１１、上位レイヤ部１１２から構成される。上位レイヤ部１１２は、端末装置１の上位レイヤとして無線リソース制御を執り行うＲＲＣ（Ｒａｄｉｏ  Ｒｅｓｏｕｒｃｅ  Ｃｏｎｔｒｏｌ）層の特定の機能を実現するブロックである。
【００７０】
また、上りリンクバッファ制御部１０６、上りリンク無線リソース要求制御部１１０、ランダムアクセス制御部１１１は、データリンク層を管理するＭＡＣ（Ｍｅｄｉｕｍ  Ａｃｃｅｓｓ  Ｃｏｎｔｒｏｌ）層の特定の機能を実現するブロックである。図中の「部」とは、セクション、回路、構成装置、デバイス、ユニットなど用語によっても表現される、端末装置１の機能および各手順を実現する要素である。
【００７１】
なお、端末装置１は、キャリア・アグリゲーション、および／またはDual connectivityによる複数の周波数（周波数帯、周波数帯域幅）またはセルの同時受信をサポートするために受信系のブロック（受信部１０１、復調部１０２、復号部１０３）、および複数の周波数（周波数帯、周波数帯域幅）またはセルの同時送信をサポートするために送信系のブロック（符号部１０７、変調部１０８、送信部１０９）を複数備える構成であってもよい。
【００７２】
受信に関し、上位レイヤ部１１２より制御部１０５へ端末装置制御情報が入力される。端末装置制御情報は、受信制御情報と送信制御情報によって構成される端末装置１の無線通信制御に必要な情報であり、基地局装置２から個別に送信される無線接続リソース設定、セル固有の報知情報、またはシステムパラメータにより設定され、上位レイヤ部１１２が必要に応じて制御部１０５へ入力する。制御部１０５は、受信に関する制御情報である受信制御情報を、受信部１０１、復調部１０２、復号部１０３へ適切に入力する。
【００７３】
受信制御情報は、受信周波数帯域の情報の他に、ＤＲＸ制御情報、各チャネルに関する受信タイミング、多重方法、無線リソース配置情報などの情報が含まれている。また、制御部１０５は、セルの測定に関する制御に必要となる測定設定情報を測定処理部１０４に入力する。測定設定情報は、端末装置１で測定した在圏セルおよび周辺セルの測定結果が、指定された測定イベントを満たしたかどうかの測定イベント判定のための測定イベント情報を含む情報である。また、測定設定情報は、端末装置１で測定した周辺セルの測定結果が、セル選択に関する選択基準を満たすか否かを判定するための周辺セル情報を含む情報である。
【００７４】
受信信号は、受信部１０１において受信される。受信部１０１は、受信制御情報で指定された周波数帯域で信号を受信する。受信された信号は、復調部１０２へと入力される。復調部１０２は、受信信号の復調を行い、復号部１０３へと信号を入力して下りリンクデータと下りリンク制御データとを正しく復号し、復号された各データを上位レイヤ部１１２へと入力する。各データは測定処理部１０４にも入力される。
【００７５】
また、測定処理部１０４は、検出した周辺セル（コンポーネントキャリア）の下りリンクリファレンスシグナルの受信品質（ＳＩＲ、ＳＩＮＲ、ＲＳＲＰ、ＲＳＲＱ、ＲＳＳＩ、パスロスなど）を測定し、必要な測定結果を生成する。ＲＳＲＰは下りリンクリファレンスシグナルの受信電力の大きさを示す値であり、ＲＳＲＱは、下りリンクリファレンスシグナルの品質を示す値である。
【００７６】
測定処理部１０４は、測定結果を、設定された測定イベント情報に基づく測定イベントの成否を判定するセルの品質情報として用いる。また、測定処理部１０４は、測定結果を、設定された周辺セル情報に基づくセル選択またはセル再選択の選択基準のための品質情報として用いる。なお、測定に用いる信号は下りリンクリファレンスシグナルに限定されず、ＣＳＩ−ＲＳ等のセルの品質を測るために用いられる信号であれば別の信号を測定しても良い。
【００７７】
また、送信に関し、上位レイヤ部１１２より制御部１０５へ各ブロックを制御するための制御パラメータである端末装置制御情報が入力され、送信に関する制御情報である送信制御情報が、上りリンクバッファ制御部１０６、符号部１０７、変調部１０８、送信部１０９へ適切に入力される。送信制御情報は、送信信号の上りリンクスケジューリング情報として、ＤＴＸ制御情報、符号化情報、変調情報、送信周波数帯域の情報、各チャネルに関する送信タイミング、多重方法、無線リソース配置情報などの情報が含まれている。
【００７８】
上位レイヤ部１１２からランダムアクセス制御部１１１にランダムアクセス設定情報が入力される。ランダムアクセス設定情報には、プリアンブル情報や物理ランダムアクセスチャネル送信用の無線リソース情報（電力調整パラメータや、最大プリアンブル再送回数など）などが含まれる。上位レイヤ部１１２は、複数のセルにそれぞれ対応した複数のランダムアクセス設定情報をランダムアクセス制御部１１１に設定してもよい。また、上位レイヤ部１１２は、上りリンク送信タイミングの調整に用いる送信タイミング調整情報と送信タイミングタイマーを管理し、セル毎（またはセルグループ毎、ＴＡグループ毎）に上りリンク送信タイミングの状態（送信タイミング調整状態または送信タイミング非調整状態）を管理する。送信タイミング調整情報と送信タイミングタイマーは、送信制御情報に含まれる。
【００７９】
なお、複数の上りリンク送信タイミングの状態を管理する必要がある場合、上位レイヤ部１１２は、複数のそれぞれのセル（またはセルグループ、ＴＡグループ）の上りリンク送信タイミングに対応する送信タイミング調整情報を管理する。
【００８０】
生起した送信データ（上りリンクデータと上りリンク制御データ）は、上位レイヤ部１１２より任意のタイミングで上りリンクバッファ制御部１０６に入力される。このとき、上りリンクバッファ制御部１０６は、入力された送信データの量（上りリンクバッファ量）を計算する。また、上りリンクバッファ制御部１０６は、入力された送信データが制御平面に属するデータなのか、ユーザ平面に属するデータなのかを判別する機能を有する。
【００８１】
上りリンク無線リソース要求制御部１１０には、上位レイヤ部１１２よりリソース要求設定情報が設定される。なお、リソース要求設定情報は、上りリンク制御チャネル設定情報の一部である。リソース要求設定情報には、少なくとも最大送信カウンタ設定情報と無線リソース要求禁止タイマー情報とが含まれている。上位レイヤ部１１２は、複数のセルにそれぞれ対応した複数のリソース要求設定情報を上りリンク無線リソース要求制御部１１０に設定してもよい。また、上りリンクバッファ制御部１０６は、上りリンクバッファ制御部１０６に送信データが入力されたときに、送信データの発生を上りリンク無線リソース要求制御部１１０へ通知することによって、上りリンクバッファに送信データが存在することを知らせる。
【００８２】
上りリンク無線リソース要求制御部１１０は、入力された送信データの送信に必要な無線リソースが割り当てられているかを判断する。上りリンク無線リソース要求制御部１１０は、無線リソース割り当てに基づいて、物理上りリンク共用チャネルＰＵＳＣＨ、物理上りリンク制御チャネルによる無線リソース要求（ＳＲ−ＰＵＣＣＨ）、または物理ランダムアクセスチャネルのいずれか一つを選択し、選択したチャネルを送信するための制御処理を符号部１０７および／またはランダムアクセス制御部１１１に対して要求する。
【００８３】
すなわち、すでに無線リソースが割り当てられており、送信データを物理上りリンク共用チャネルＰＵＳＣＨで送信可能な状態であるとき、符号部１０７は、上りリンク無線リソース要求制御部１１０の指示に従って割り当て済みの無線リソースに対応する送信データを上りリンクバッファ制御部１０６から取得して符号化し、変調部１０８に出力する。または、無線リソースが割り当てられていないときで、物理上りリンク制御チャネルによる無線リソース要求（ＳＲ−ＰＵＣＣＨ）が可能であるとき、符号部１０７は、上りリンク無線リソース要求制御部１１０の指示に従ってＳＲ−ＰＵＣＣＨの送信に必要な制御データを符号化し、変調部１０８に出力する。
【００８４】
なお、複数の物理上りリンク制御チャネルによる無線リソース要求（ＳＲ−ＰＵＣＣＨ）が可能であるとき、上りリンク無線リソース要求制御部１１０が、どのＳＲ−ＰＵＣＣＨの送信を優先的に制御するかについては後述する。
【００８５】
または、無線リソースが割り当てられていないときで、物理上りリンク制御チャネルによる無線リソース要求（ＳＲ−ＰＵＣＣＨ）が不可能であるとき、符号部１０７は、ランダムアクセス制御部１１１に対してランダムアクセス手順の開始を指示する。このとき、符号部１０７は、ランダムアクセス制御部１１１から入力されるランダムアクセスデータ情報に基づき物理ランダムアクセスチャネルで送信されるプリアンブル系列を生成する。また、符号部１０７は送信制御情報に従い、各データを適切に符号化し、変調部１０８に出力する。
【００８６】
なお、複数の物理ランダムアクセスチャネルの設定（ランダムアクセス設定情報）が割り当てられている場合、ランダムアクセス制御部１１１は、ランダムアクセス手順による無線リソース要求（ＲＡＣＨ−ＳＲ）はプライマリセルにおいてのみ可能とするように制御する。すなわち、セカンダリセルにおけるランダムアクセス手順は、基地局装置２から開始が指示されたときのみ実施されるように制御される。
【００８７】
変調部１０８は、符号部１０７からの出力を送信するチャネル構造に基づいて適切に変調処理を行う。送信部１０９は、変調部１０８の出力を周波数領域にマッピングすると共に、周波数領域の信号を時間領域の信号へ変換し、既定の周波数の搬送波にのせて電力増幅を行う。送信部１０９は、また、上位レイヤ部１１２より入力されたセル毎（またセルグループ毎、ＴＡグループ毎）の送信タイミング調整情報に従って上りリンク送信タイミングを調整する。上りリンク制御データが配置される物理上りリンク共用チャネルは、ユーザデータの他に、例えばレイヤ３メッセージ（無線リソース制御メッセージ；ＲＲＣメッセージ）を含めることも可能である。
【００８８】
図１において、その他の端末装置１の構成要素は省略してあるが、端末装置１として動作するために必要なその他の機能を有する複数のブロックを構成要素として持つことは明らかである。
【００８９】
図２は、本発明の第１の実施形態による基地局装置２の一例を示すブロック図である。本基地局装置は、受信部２０１、復調部２０２、復号部２０３、制御部２０４、符号部２０５、変調部２０６、送信部２０７、上位レイヤ部２０８、ネットワーク信号送受信部２０９から構成される。
【００９０】
なお、基地局装置２は、複数の周波数（周波数帯、周波数帯域幅）をサポートするために受信系のブロック（受信部２０１、復調部２０２、復号部２０３）、および送信系のブロック（符号部２０５、変調部２０６、送信部２０７）を複数備えてもよい。図中の「部」とは、セクション、回路、構成装置、デバイス、ユニットなどの用語によっても表現される、基地局装置２の機能および各手順を実現する要素である。
【００９１】
上位レイヤ部２０８は、基地局装置２の上位レイヤとして無線リソース制御を執り行うＲＲＣ（Ｒａｄｉｏ  Ｒｅｓｏｕｒｃｅ  Ｃｏｎｔｒｏｌ）層の特定の機能を実現するブロックである。
【００９２】
上位レイヤ部２０８は、下りリンクデータと下りリンク制御データを符号部２０５へ入力する。符号部２０５は、入力されたデータを符号化し、変調部２０６へ入力する。変調部２０６は、符号化した信号の変調を行なう。また、変調部２０６から出力される信号は送信部２０７に入力される。送信部２０７は、入力された信号を周波数領域にマッピングした後、周波数領域の信号を時間領域の信号へ変換し、既定の周波数の搬送波にのせて電力増幅を行い送信する。下りリンク制御データが配置される物理下りリンク共用チャネルは、典型的にはレイヤ３メッセージ（ＲＲＣメッセージ）を構成する。
【００９３】
また、受信部２０１は、端末装置１から受信した信号をベースバンドのデジタル信号に変換する。端末装置１に対して異なる複数の送信タイミングのセルを設定している場合、受信部２０１はセル毎（またセルグループ毎、ＴＡグループ毎）に異なるタイミングで信号を受信する。受信部２０１で変換されたデジタル信号は、復調部２０２へ入力されて復調される。復調部２０２で復調された信号は続いて復号部２０３へ入力されて復号され、正しく復号された上りリンク制御データや上りリンクデータを上位レイヤ部２０８へと出力する。
【００９４】
これら各ブロックの制御に必要な基地局装置制御情報は、受信制御情報と送信制御情報によって構成される基地局装置２の無線通信制御に必要な情報であり、上位のネットワーク装置（ＭＭＥ（ＭＭＥ３００）やゲートウェイ装置（ＳＧＷ４００）、ＯＡＭなど）やシステムパラメータにより設定され、上位レイヤ部２０８が必要に応じて制御部２０４へ入力する。
【００９５】
制御部２０４は、送信に関連する基地局装置制御情報を、送信制御情報として符号部２０５、変調部２０６、送信部２０７の各ブロックに、受信に関連する基地局装置制御情報を、受信制御情報として受信部２０１、復調部２０２、復号部２０３の各ブロックに適切に入力する。基地局装置２のＲＲＣは、上位レイヤ部２０８の一部として存在する。
【００９６】
一方、ネットワーク信号送受信部２０９は、基地局装置２間あるいは上位のネットワーク装置（例えば、ＭＭＥ３００、ＳＧＷ４００）と基地局装置２との間の制御メッセージ、またはユーザデータの送信（転送）または受信を行なう。図２において、その他の基地局装置２の構成要素は省略してあるが、基地局装置２として動作するために必要なその他の機能を有する複数のブロックを構成要素として持つことは明らかである。
【００９７】
本発明の第１の実施形態に関する物理上りリンク制御チャネルの管理方法について説明する。端末装置１は、複数の基地局装置２とDual connectivityによる通信中において、複数のセルで物理上りリンク制御チャネルを送信可能なように構成されている。Dual connectivityは、図９または図１０で例示した接続方法によって実現されてもよいし、その他の接続方法によって実現されてもよい。
【００９８】
図３は本発明の第１の実施形態における端末装置１に設定される送受信制御に関する設定内容の一例を示したものである。図において、Dual connectivityの接続に使用する第１のセル（図３ではマクロセルＣ１としている）として、第１の下りリンク（ＤＬ＿ＣＥＬＬ１）と第１の上りリンク（ＵＬ＿ＣＥＬＬ１）が対応しており、Dual connectivityの接続に使用する第２のセル（図３ではスモールセルＣ２としている）として、第２の下りリンク（ＤＬ＿ＣＥＬＬ２）と第２の上りリンク（ＵＬ＿ＣＥＬＬ２）が対応している。なお、セルの数は図３に限定されず、第１のセルと第２のセルに加え、その他複数のセルをDual connectivityの接続に使用するような構成であってもよい。
【００９９】
まず、端末装置１は、無線接続リソース設定の一つとして、複数のセルグループ設定情報（セルグループ設定＃１、セルグループ設定＃２）が通知される。各セルグループ設定情報には、１つ以上のセルが含まれ、基地局装置２は、各グループに属するセルをセルインデックスで指定する。グループに属するセルとして指定されないセルが、暗黙的に１つのグループを構成するようにしてもよい。本例では、マクロセルを含むグループとスモールセルを含むグループとに分けられている。ただし、端末装置１がセルの種別を判別する必要はない。すなわち、端末装置１は、マクロセルかスモールセルかの判別はせずに、基地局装置２から通知されたセルグループ設定情報に従ってセルのグループ化を行う。
【０１００】
また、基地局装置２から、各セルグループに対して送信タイミングタイマー設定情報（送信タイミングタイマー設定＃１、送信タイミングタイマー設定＃２）が端末装置１に通知される。すなわち、基地局装置２は、これらの設定情報をセル毎ではなく、グループ毎に１つの設定情報を端末装置１に通知する。
【０１０１】
また、基地局装置２から、各セルグループのそれぞれ一つのセルに対し、上りリンク制御チャネル設定情報（上りリンク制御チャネル設定＃１、上りリンク制御チャネル設定＃２）、ランダムアクセスチャネル設定情報（ランダムアクセスチャネル設定＃１、ランダムアクセスチャネル設定＃２）が端末装置１に通知される。すなわち、基地局装置２は、これらの設定をセル毎に端末装置１に通知するのではなく、グループのある一つのセルに対する設定情報として端末装置１に通知する。また、端末装置１は、これらの通知された設定情報を指定されたセルに対して設定する。
【０１０２】
上りリンク制御チャネル設定情報は、リソース要求設定情報を含む。また、リソース要求設定情報は、最大送信カウンタ設定情報と、無線リソース要求禁止タイマー情報が少なくとも含まれる。最大送信カウンタ設定情報とは、端末装置１が、あるセルで送信可能な上りリンク制御チャネルによる無線リソース要求の送信回数（ＳＲ−ＰＵＣＣＨ最大送信回数）を定めたものであり、換言すると、あるセルで端末装置１が上りリンク制御チャネルによる無線リソース要求を行うたびにインクリメントされるカウンタの上限値を示す値である。
【０１０３】
無線リソース要求禁止タイマー情報とは、無線リソース要求禁止タイマー（ＳＲ  Ｐｒｏｈｉｂｉｔ  Ｔｉｍｅｒ）を設定する情報であり、無線リソース要求禁止タイマーとは、端末装置１が上りリンク制御チャネルを用いて基地局装置２に対して無線リソース要求を送信したときに計時が開始されるタイマーである。端末装置１は、無線リソース要求禁止タイマーが計時中のときはＳＲ−ＰＵＣＣＨの送信を行わない。
【０１０４】
なお、セル毎に個別に通知される他の設定、例えば下りリンク制御チャネル設定情報、上りリンクリファレンスシグナル設定情報などは図３から省略しているが、図３は、これらの設定情報が端末装置１に通知されないことを意図したものではなく、これらの設定情報が図示されなくても端末装置１に対して適切に通知されていることは明らかである。
【０１０５】
ここで、セルグループ設定＃１（セルグループ１と称する）に属するマクロセルＣ１において、端末装置１の上りリンクの送信制御は、送信タイミングタイマー設定＃１によって設定される送信タイミングタイマー（ＴＡＴ１）によって管理される。同様に、セルグループ設定＃２（セルグループ２と称する）に属するスモールセルＣ２において、端末装置１の上りリンクの送信制御は、送信タイミングタイマー設定＃２によって設定される送信タイミングタイマー（ＴＡＴ２）によって管理される。
【０１０６】
すなわち、上りリンク制御チャネル設定＃２が設定されている端末装置１は、送信タイミングタイマー（ＴＡＴ２）が計時されているとき、スモールセルＣ２の上りリンクに対して、上りリンク制御チャネル設定＃２に基づいて物理上りリンク制御チャネルによる無線リソース要求（ＳＲ−ＰＵＣＣＨ）を送信することが可能である。
【０１０７】
図４は、本発明の第１の実施形態における端末装置１の無線リソース要求に関する送信方法選択処理の一例を示したフローチャート図である。図４は、ＭＡＣ層（すなわちＭＡＣ層の機能を実現する各ブロック）で実施される。
【０１０８】
端末装置１は、無線リソース要求の状態遷移（ＳＲ状態）として、Ｐｅｎｄｉｎｇ状態とＮｏｎ−Ｐｅｎｄｉｎｇ状態の２状態を管理している。端末装置１のＳＲ状態は、ＭＡＣ層で管理されている。端末装置１において送信データが存在するとき（生起されたとき）、端末装置１のＳＲ状態はＰｅｎｄｉｎｇ状態へと変更される。端末装置１は、ステップＳ１００で、端末装置１のＳＲ状態がＰｅｎｄｉｎｇ状態か否かについて判断（判定、決定）する。
【０１０９】
ＳＲ状態がＮｏｎ−Ｐｅｎｄｉｎｇ状態であるとき（ステップＳ１００でＮｏ）、端末装置１は、Ｐｅｎｄｉｎｇ状態となるまでステップＳ１００の処理を繰り返す。ＳＲ状態がＰｅｎｄｉｎｇ状態であるとき（ステップＳ１００でＹｅｓ）、端末装置１は、第２のセルでＳＲ−ＰＵＣＣＨが有効かどうかの判断（判定、決定）を行う（ステップＳ１０１）。
【０１１０】
第２のセルとは、基地局装置２から指示されたセルグループのうち、プライマリセルを含まないグループのセルである。基地局装置２から指示されたセルグループのうち、プライマリセルを含むグループのセルをプライマリセルグループと称し、プライマリセルを含まないセルのグループをセカンダリセルグループと称する。すなわち、第２のセルとは、セカンダリセルであって、セカンダリセルグループに属するセルである。
【０１１１】
具体的には、端末装置１は、第２のセルのいずれか、または特定の第２のセルで上りリンク制御チャネル設定情報が設定されているかどうかに基づいて第２のセルでＳＲ−ＰＵＣＣＨが有効かどうかを判断する。特定の第２のセルとは、例えば、基地局装置２から指定されたセル、または、下りリンクの受信品質が最も良好なセル、または、上りリンクの送信電力が最も低く設定されるセル、または、上りリンクの送信タイミングの基準となるセル（タイミングリファレンスセル）、または、ランダムアクセス設定が通知されているセル、または、セカンダリセルグループのうちセルインデックスが最小となるセル、などである。
【０１１２】
端末装置１は、不活性化状態の第２のセル、および／または、送信タイミングタイマーの計時がされていないセルグループに属する第２のセルを、ＳＲ−ＰＵＣＣＨが有効であるかを判断するセルとして考慮しなくてもよい。さらに、無線リソース要求禁止タイマーを計時中の第２のセルをＳＲ−ＰＵＣＣＨが有効であるかを判断するセルとして考慮しなくてもよい。
【０１１３】
端末装置１は、第２のセルでＳＲ−ＰＵＣＣＨが有効であるとき（ステップＳ１０１でＹｅｓ）、第２のセルに設定された上りリンク制御チャネル設定情報に基づいて、第２のセルの上りリンクに対するＳＲ−ＰＵＣＣＨの送信処理を選択する（ステップＳ１０３）。一方、端末装置１は、第２のセルでＳＲ−ＰＵＣＣＨが有効ではないとき（ステップＳ１０１でＮｏ）、第１のセルでＳＲ−ＰＵＣＣＨが有効かどうかの判断（判定、決定）を行う（ステップＳ１０２）。すなわち、第２のセルのＳＲ−ＰＵＣＣＨは、第１のセルのＳＲ−ＰＵＣＣＨよりも優先される。第１のセルとは、プライマリセルである。
【０１１４】
具体的には、端末装置１は、第１のセルで上りリンク制御チャネル設定情報が設定されているかどうかに基づいて第１のセルでＳＲ−ＰＵＣＣＨが有効かどうかを判断する。端末装置１は、第１のセルでＳＲ−ＰＵＣＣＨが有効であるとき（ステップＳ１０２でＹｅｓ）、第１のセルに設定された上りリンク制御チャネル設定情報に基づいて、第１のセルの上りリンクに対するＳＲ−ＰＵＣＣＨの送信処理を選択する（ステップＳ１０４）。一方、端末装置１は、第１のセルでＳＲ−ＰＵＣＣＨが有効ではないとき（ステップＳ１０２でＮｏ）、第１のセルに設定されたランダムアクセスチャネル設定情報に基づいて、第１のセルの上りリンクに対してランダムアクセス送信処理を行うことを選択する（ステップＳ１０５）。
【０１１５】
また、端末装置１は、複数のセルグループ（すなわち、セカンダリセルグループ）の第２のセルでＳＲ−ＰＵＣＣＨが有効である場合、以下のいずれかの方法に基づいてＳＲ−ＰＵＣＣＨの送信処理を行うセルグループを判断（判定、決定）する。例えば、（ａ）最もセルインデックスが小さい第２のセルを含むセルグループ、（ｂ）最もセルインデックスが大きい第２のセルを含むセルグループ、（ｃ）最も優先度が高いセルグループ、（ｄ）セルグループのインデックスが最も小さいセルグループ、（ｅ）セルグループのインデックスが最も大きいセルグループ、に基づいてセルグループを判断し、判断したセルグループの第２のセルでＳＲ−ＰＵＣＣＨ送信処理を行う。（ｃ）のセルグループの優先度を示す優先度情報は、基地局装置２から通知される。
【０１１６】
端末装置１は、送信タイミングタイマーの計時がされていないセルグループに属する第１のセルを、ＳＲ−ＰＵＣＣＨが有効であるかを判断するセルとして考慮しなくてもよい。さらに、無線リソース要求禁止タイマーを計時中の第１のセルをＳＲ−ＰＵＣＣＨが有効であるかを判断するセルとして考慮しなくてもよい。
【０１１７】
なお、端末装置１は、ステップＳ１０１とステップＳ１０２の処理を同時に行ってもよい。すなわち、端末装置１は、第１のセルと第２のセルの両方に対してＳＲ−ＰＵＣＣＨの送信が可能であるとき、換言すると、第１のセルと第２のセルの両方に対して上りリンク制御チャネル設定情報が通知されているとき、端末装置１は、第２のセルに設定された上りリンク制御チャネル設定情報に基づいてＳＲ−ＰＵＣＣＨの送信を行うことを優先するように構成されていてもよい。
【０１１８】
図５は、本発明の第１の実施形態における、端末装置１の無線リソース要求の送信処理に関する処理の一例を示したフローチャート図である。
【０１１９】
図５の処理は、図４における第２のセルにおけるＳＲ−ＰＵＣＣＨ送信処理に対応する処理である。すなわち、第２のセルのＳＲ−ＰＵＣＣＨが有効であると判断（判定、決定）した端末装置１において実施されうる。端末装置１が第２のセルのＳＲ−ＰＵＣＣＨを選択するための判断（判定、決定）の条件は図４に従ってもよいし、その他の条件に基づいてもよい。
【０１２０】
端末装置１は、ステップＳ１００１で、第２のセルにおけるＳＲ−ＰＵＣＣＨの送信回数が、ＳＲ−ＰＵＣＣＨ最大送信回数に達しているかどうかについて判断（判定、決定）を行い、ＳＲ−ＰＵＣＣＨの送信回数がＳＲ−ＰＵＣＣＨ最大送信回数に達していた場合（ステップＳ１００１でＹｅｓ）、ＳＲ−ＰＵＣＣＨ最大送信時処理（ステップＳ１００２）を行う。一方、端末装置１は、ＳＲ−ＰＵＣＣＨの送信回数がＳＲ−ＰＵＣＣＨ最大送信回数に達していなかった場合（ステップＳ１００１でＮｏ）、ＳＲ−ＰＵＣＣＨの送信回数をインクリメントし、また、ＳＲ状態をＰｅｎｄｉｎｇ状態のまま維持し、上りリンク制御チャネル設定＃２に基づいて、第２のセルの上りリンクに対してＳＲ−ＰＵＣＣＨを送信する（ステップＳ１００３）。
【０１２１】
ここで、ＳＲ−ＰＵＣＣＨ最大送信回数は、第１のセルと第２のセルで異なる２つの値が使用されてもよいし、第１のセルと第２のセルで共通の値が個別に使用されてもよいし、第１のセルと第２のセルで１つの値が共有して使用されてもよい。また、ＳＲ−ＰＵＣＣＨ最大送信回数の値は、第１のセルと第２のセルで異なる２つの値が使用されてもよいし、第１のセルと第２のセルで１つの値が共有して使用されてもよい。
【０１２２】
ステップＳ１００２におけるＳＲ−ＰＵＣＣＨ最大送信時処理として、端末装置１は、（１）第２のセルの上りリンク制御チャネル設定情報をリリースする、（２）上りリンク制御チャネル設定情報のうち、第２のセルのＳＲ−ＰＵＣＣＨに関するもののみをリリースする、のいずれかの処理を行う。
【０１２３】
すなわち、（１）の場合、端末装置１は、第２のセルのＳＲ−ＰＵＣＣＨに関する上りリンク制御チャネル設定情報と、第２のセルのＡＣＫ／ＮＡＣＫに報告に関する上りリンク制御チャネル設定情報と、第２のセルのＣＳＩの報告に関する上りリンク制御チャネル設定情報と、をリリースする。（２）の場合、端末装置１は、第２のセルのＳＲ−ＰＵＣＣＨに関する上りリンク制御チャネル設定情報をリリースする一方、第２のセルのＡＣＫ／ＮＡＣＫに報告に関する上りリンク制御チャネル設定情報と、第２のセルのＣＳＩの報告に関する上りリンク制御チャネル設定情報は維持する。
【０１２４】
なお、どちらの場合であっても、ＳＲ状態はＰｅｎｄｉｎｇ状態のまま維持する。ステップＳ１００２において、端末装置１は、第２のセルの上りリンクリファレンス設定情報をリリースしてもよい。また、端末装置１は、第２のセルを不活性化の状態に変更してもよい。また、第２のセル（セルグループ）に対応する上りリンクの送信バッファ（上りリンクバッファ）のクリア（掃出し（ｆｌｕｓｈ））を行ってもよい。上りリンク制御チャネル設定情報のリリースは、ＲＲＣ層で実施されることが望ましい。
【０１２５】
図６は、本発明の第１の実施形態における、端末装置１の送信タイミングタイマーに関する処理の一例を示したフローチャート図である。
【０１２６】
図６の処理は、図４における第２のセルにおけるＳＲ−ＰＵＣＣＨの有効か否かの判断の一つとして用いられる処理である。すなわち、第２のセルのＳＲ−ＰＵＣＣＨが有効か否かに第２のセルの送信タイミングタイマーを考慮する端末装置１において実施されうる。
【０１２７】
端末装置１は、ステップＳ２００１において、第２のセルの送信タイミングタイマー（ＴＡＴ２）が満了したかどうかを判断（判定、決定）する。換言すれば、端末装置１は、ステップＳ２００１において、第２のセルが属するセルグループ（セルグループ２）に対応する上りリンクの状態が、送信タイミング非調整状態となったか否かを判断（判定、決定）する。
【０１２８】
端末装置１は、第２のセルの送信タイミングタイマーが満了していた場合（ステップＳ２００１でＹｅｓ）、送信タイミングタイマー満了処理（ステップＳ２００２）を行う。一方、端末装置１は、第２のセルの送信タイミングタイマーが満了していない場合（ステップＳ２００１でＮｏ）、第２のセルの送信タイミングタイマーの計時を継続し、処理を終了する。ここで、送信タイミングタイマーの値は、第１のセルと第２のセルで異なる２つの値が使用されてもよいし、第１のセルと第２のセルで共通の値が個別に使用されてもよい。
【０１２９】
ステップＳ２００２における送信タイミングタイマー満了処理として、端末装置１は、（１）第２のセルの上りリンク制御チャネル設定情報をリリースする、（２）上りリンク制御チャネル設定情報のうち、第２のセルのＳＲ−ＰＵＣＣＨに関するもののみをリリースする、のいずれかの処理を行う。
【０１３０】
すなわち、（１）の場合、端末装置１は、第２のセルのＳＲ−ＰＵＣＣＨに関する上りリンク制御チャネル設定情報と、第２のセルのＡＣＫ／ＮＡＣＫに報告に関する上りリンク制御チャネル設定情報と、第２のセルのＣＳＩの報告に関する上りリンク制御チャネル設定情報と、をリリースする。（２）の場合、端末装置１は、第２のセルのＳＲ−ＰＵＣＣＨに関する上りリンク制御チャネル設定情報をリリースする一方、第２のセルのＡＣＫ／ＮＡＣＫに報告に関する上りリンク制御チャネル設定情報と、第２のセルのＣＳＩの報告に関する上りリンク制御チャネル設定情報は維持する。
【０１３１】
なお、どちらの場合であっても、ＳＲ状態はＰｅｎｄｉｎｇ状態のまま維持する。ステップＳ２００２において、端末装置１は、第２のセルの上りリンクリファレンス設定情報をリリースしてもよい。また、端末装置１は、第２のセルを不活性化の状態に変更してもよい。また、第２のセル（セルグループ）に対応する上りリンクの送信バッファ（上りリンクバッファ）のクリア（掃出し（ｆｌｕｓｈ））を行ってもよい。上りリンク制御チャネル設定情報のリリースは、ＲＲＣ層で実施されることが望ましい。
【０１３２】
端末装置１は、第２のセルで無線リソース要求が可能であるかどうかに基づいて（１）または（２）の処理を行ってもよい。すなわち、第２のセルに対して上りリンク制御チャネル設定情報が通知されているとき、端末装置１は、（１）または（２）の処理を行い、第２のセルに対して上りリンク制御チャネル設定情報が通知されていないとき、端末装置１は、送信タイミングタイマーが満了した際に、第２のセル（セルグループ）に対応する上りリンクの送信バッファのクリアと上りリンクリファレンス設定情報のリリースを行うように構成されていてもよい。
【０１３３】
または、端末装置１は、第２のセルで無線リソース要求が可能なセルの種別であるかどうかに基づいて（１）または（２）の処理を行ってもよい。すなわち、上りリンク制御チャネル設定情報が通知されているときであって、第２のセルがDual connectivityで接続されているセルである場合、または、第２のセルがスモールセルである場合に、端末装置１は、（１）または（２）の処理を行うように構成されていてもよい。
【０１３４】
このように構成することよって、端末装置１は、複数のセル、またはセルグループに対応した物理上りリンク制御チャネルを送信することができ、基地局装置２への無線リソース要求を適切に行うことができる。すなわち、端末装置１は、ある第１のセルグループに対応する物理上りリンク制御チャネルと、ある第１のセルグループに対応する物理ランダムアクセスチャネルと、ある第２のセルグループに対応する物理上りリンク制御チャネルと、のいずれかを用いた無線リソース要求を、端末装置１の設定情報に基づいて適切に選択する通信方法を行うことができる。
【０１３５】
本実施形態の端末装置１は、自装置に通知された設定情報に基づいて、効率的な上りリンク制御情報の送信手順を実施することが可能となる。また、本実施形態の基地局装置２は、上りリンク制御情報の送信手順を選択するために適切な上りリンクの制御情報を通知することによって、端末装置１を、複数のセルに対して物理上りリンク制御チャネルが設定されたネットワークに対応させることが可能となる。
【０１３６】
第１の実施形態によれば、端末装置１は、基地局装置２から設定されたセルおよび上りリンクの制御情報に基づいて、適切な無線リソース要求の送信処理方法を選択して送信することできるため、送信手順が効率化される。また、基地局装置２は、端末装置１における効率的な送信手順に基づいて送信された無線リソース要求を受信するため、端末装置１に対して複数のセルを用いた適切なスケジューリングを提供することができる。そのため、端末装置１に対するスループットを向上することができる。
【０１３７】
＜第２の実施形態＞
本発明の第２の実施形態について以下に説明する。
【０１３８】
第２の実施形態は、ＰｅｎｄｉｎｇされるＳＲ状態の送信データの内容に応じてＳＲ−ＰＵＣＣＨの有効を判断するセルを切り替える送信制御について説明する。第２の実施形態における端末装置１と基地局装置２は、無線リソース要求に関する送信方法選択処理の一部が異なる以外は第１の実施の形態と同じ構成でよいため、説明を省略する。
【０１３９】
図７は、本発明の第２の実施形態における端末装置１の無線リソース要求に関する送信方法選択処理の一例を示したフローチャート図である。図７は、ＭＡＣ層（すなわちＭＡＣ層の機能を実現する各ブロック）で実施される。第１のセルと第２のセルの意味は図４と同じである。
【０１４０】
端末装置１は、ステップＳ２００で、端末装置１のＳＲ状態がＰｅｎｄｉｎｇ状態か否かについて判断（判定、決定）する。ＳＲ状態がＮｏｎ−Ｐｅｎｄｉｎｇ状態であるとき（ステップＳ２００でＮｏ）は、端末装置１は、Ｐｅｎｄｉｎｇ状態となるまでステップＳ２００の処理を繰り返す。ＳＲ状態がＰｅｎｄｉｎｇ状態であるとき（ステップＳ２００でＹｅｓ）は、端末装置１は、ＳＲ状態をＰｅｎｄｉｎｇ状態へ変更した上りリンクバッファの送信データがユーザ平面に属するものかどうかを判断（判定、決定）する（ステップＳ２０１）。
【０１４１】
具体的には、端末装置１は、上りリンクの送信バッファ（上りリンクバッファ）に含まれる未送信の送信データが制御平面に属する場合（ステップＳ２０１でＮｏ）は、ステップＳ２０３の処理を実施する。一方、端末装置１は、上りリンクバッファに含まれる未送信の送信データがユーザ平面に属する場合（ステップＳ２０１でＹｅｓ）は、ステップＳ２０２の処理を実施する。
【０１４２】
上りリンクバッファの送信データが制御平面とユーザ平面のどちらに属する送信データであるかについて、端末装置１は、基地局装置２または上位レイヤから通知される論理チャネルの種別に基づいて判断してもよい。例えば、端末装置１は、上りリンクの送信データが論理制御チャネル（ＤＣＣＨ、ＣＣＣＨ）に関するときに、上りリンクバッファの送信データが制御平面に属すると判断してもよい。また、例えば、端末装置１は、上りリンクの送信データが論理トラフィックチャネル（ＤＴＣＨ）に関するときに、上りリンクバッファの送信データがユーザ平面に属すると判断してもよい。
【０１４３】
また、端末装置１は、上りリンクの送信データが論理制御チャネルと論理トラフィックチャネルの両方に関するときは、上りリンクバッファの送信データが制御平面に属すると判断してもよい。また、端末装置１は、上りリンクの送信データが論理制御チャネルと論理トラフィックチャネルの両方に関するときは、上りリンクバッファの送信データがユーザ平面に属すると判断してもよい。
【０１４４】
または、上りリンクバッファの送信データが制御平面とユーザ平面のどちらに属する送信データであるかについて、端末装置１は、基地局装置２または上位レイヤから通知される無線ベアラの種別に基づいて判断してもよい。例えば、端末装置１は、上りリンクの送信データがシグナリング無線ベアラ（ＳＲＢ）に関するときに、上りリンクバッファの送信データが制御平面に属すると判断してもよい。また、例えば、端末装置１は、上りリンクの送信データがデータ無線ベアラ（ＤＲＢ）に関するときに、上りリンクバッファの送信データがユーザ平面に属すると判断してもよい。
【０１４５】
また、端末装置１は、上りリンクの送信データがシグナリング無線ベアラとデータ無線ベアラの両方に関するときは、上りリンクバッファの送信データが制御平面に属すると判断してもよい。また、端末装置１は、上りリンクの送信データがシグナリング無線ベアラとデータ無線ベアラの両方に関するときは、上りリンクバッファの送信データがユーザ平面に属すると判断してもよい。
【０１４６】
または、上りリンクバッファの送信データが制御平面とユーザ平面のどちらに属する送信データであるかについて、端末装置１は、基地局装置２または上位レイヤから通知されるＱｏＳ（Ｑｕａｌｉｔｙ  ｏｆ  Ｓｅｒｖｉｃｅ）、ＱＣＩ（ＱｏＳ  Ｃｌａｓｓ  Ｉｄｅｎｔｉｆｉｅｒ）、論理チャネルの優先度のいずれか、またはこれらの組み合わせに基づいて判断してもよい。
【０１４７】
端末装置１は、ステップＳ２０２において、第２のセルでＳＲ−ＰＵＣＣＨが有効かどうかの判断（判定、決定）を行う。具体的には、端末装置１は、第２のセルのいずれか、または特定の第２のセルで上りリンク制御チャネル設定情報が設定されているかどうかに基づいて第２のセルでＳＲ−ＰＵＣＣＨが有効かどうかを判断する。特定の第２のセルとは、例えば、基地局装置２から指定されたセル、または、下りリンクの受信品質が最も良好なセル、または、上りリンクの送信電力が最も低く設定されるセル、または、上りリンクの送信タイミングの基準となるセル（タイミングリファレンスセル）、または、ランダムアクセス設定が通知されているセル、または、セカンダリセルグループのうちセルインデックスが最小となるセル、などである。
【０１４８】
端末装置１は、不活性化状態の第２のセル、および／または、送信タイミングタイマーの計時がされていないセルグループに属する第２のセルを、ＳＲ−ＰＵＣＣＨが有効であるかを判断するセルとして考慮しなくてもよい。さらに、無線リソース要求禁止タイマーを計時中の第２のセルをＳＲ−ＰＵＣＣＨが有効であるかを判断するセルとして考慮しなくてもよい。
【０１４９】
端末装置１は、第２のセルでＳＲ−ＰＵＣＣＨが有効であるとき（ステップＳ２０２でＹｅｓ）、第２のセルに設定された上りリンク制御チャネル設定情報に基づいて、第２のセルの上りリンクに対するＳＲ−ＰＵＣＣＨの送信処理を選択する（ステップＳ２０４）。一方、端末装置１は、第２のセルでＳＲ−ＰＵＣＣＨが有効ではないとき（ステップＳ２０２でＮｏ）、第１のセルでＳＲ−ＰＵＣＣＨが有効かどうかの判断（判定、決定）を行う（ステップＳ２０３）。すなわち、第２のセルのＳＲ−ＰＵＣＣＨは、第１のセルのＳＲ−ＰＵＣＣＨよりも優先される。
【０１５０】
具体的には、端末装置１は、第１のセルで上りリンク制御チャネル設定情報が設定されているかどうかに基づいて第１のセルでＳＲ−ＰＵＣＣＨが有効かどうかを判断する。端末装置１は、第１のセルでＳＲ−ＰＵＣＣＨが有効であるとき（ステップＳ２０３でＹｅｓ）、第１のセルに設定された上りリンク制御チャネル設定情報に基づいて、第１のセルの上りリンクに対するＳＲ−ＰＵＣＣＨの送信処理を選択する（ステップＳ２０５）。一方、端末装置１は、第１のセルでＳＲ−ＰＵＣＣＨが有効ではないとき（ステップＳ２０３でＮｏ）、第１のセルに設定されたランダムアクセスチャネル設定情報に基づいて、第１のセルの上りリンクに対してランダムアクセス送信処理を行うことを選択する（ステップＳ２０６）。
【０１５１】
また、端末装置１は、複数のセルグループ（すなわち、セカンダリセルグループ）の第２のセルでＳＲ−ＰＵＣＣＨが有効である場合、以下のいずれかの方法に基づいてＳＲ−ＰＵＣＣＨの送信処理を行うセルグループを判断（判定、決定）する。例えば、（ａ）最もセルインデックスが小さい第２のセルを含むセルグループ、（ｂ）最もセルインデックスが大きい第２のセルを含むセルグループ、（ｃ）最も優先度が高いセルグループ、（ｄ）セルグループのインデックスが最も小さいセルグループ、（ｅ）セルグループのインデックスが最も大きいセルグループ、に基づいてセルグループを判断し、判断したセルグループの第２のセルでＳＲ−ＰＵＣＣＨ送信処理を行う。（ｃ）のセルグループの優先度を示す優先度情報は、基地局装置２から通知される。
【０１５２】
端末装置１は、送信タイミングタイマーの計時がされていないセルグループに属する第１のセルを、ＳＲ−ＰＵＣＣＨが有効であるかを判断するセルとして考慮しなくてもよい。さらに、無線リソース要求禁止タイマーを計時中の第１のセルをＳＲ−ＰＵＣＣＨが有効であるかを判断するセルとして考慮しなくてもよい。
【０１５３】
なお、端末装置１は、ステップＳ２０２とステップＳ２０３の処理を同時に行ってもよい。すなわち、端末装置１は、第１のセルと第２のセルの両方に対してＳＲ−ＰＵＣＣＨの送信が可能であるとき、換言すると、第１のセルと第２のセルの両方に対して上りリンク制御チャネル設定情報が通知されているとき、端末装置１は、第２のセルに設定された上りリンク制御チャネル設定情報に基づいてＳＲ−ＰＵＣＣＨの送信を行うことを優先するように構成されていてもよい。
【０１５４】
また、端末装置１は、ステップＳ２０１の処理をステップＳ２０４の処理の前に行うように構成されてもよい。
【０１５５】
このように構成することよって、端末装置１は、複数のセル、またはセルグループに対応した物理上りリンク制御チャネルを送信することができ、基地局装置２への無線リソース要求を適切に行うことができる。すなわち、端末装置１は、ある第１のセルグループに対応する物理上りリンク制御チャネルと、ある第１のセルグループに対応する物理ランダムアクセスチャネルと、ある第２のセルグループに対応する物理上りリンク制御チャネルと、のいずれかを用いた無線リソース要求を、端末装置１の設定情報と上りリンクバッファの送信データの内容に基づいて適切に選択する通信方法を行うことができる。
【０１５６】
本実施形態の端末装置１は、自装置に通知された設定情報と上りリンクバッファの送信データの内容に基づいて、効率的な上りリンク制御情報の送信手順を実施することが可能となる。また、本実施形態の基地局装置２は、上りリンク制御情報の送信手順を選択するために適切な上りリンクの制御情報を通知することによって、端末装置１を、複数のセルに対して物理上りリンク制御チャネルが設定されたネットワークに対応させることが可能となる。
【０１５７】
第２の実施形態によれば、端末装置１は、基地局装置２から設定されたセルと、上りリンクの制御情報と、上りリンクバッファの送信データの内容とに基づいて、適切な無線リソース要求の送信処理方法を選択して送信することできるため、送信手順が効率化される。また、基地局装置２は、端末装置１における効率的な送信手順に基づいて送信された無線リソース要求を受信するため、端末装置１に対して複数のセルを用いた適切なスケジューリングを提供することができる。そのため、端末装置１に対するスループットを向上することができる。
【０１５８】
＜第３の実施形態＞
本発明の第３の実施形態について以下に説明する。
【０１５９】
第３の実施形態は、Ｐｅｎｄｉｎｇ状態となっているセルに応じてＳＲ−ＰＵＣＣＨの有効を判断するセルを切り替える送信制御について説明する。第３の実施形態における端末装置１と基地局装置２は、無線リソース要求に関する送信方法選択処理の一部が異なる以外は第１の実施の形態と同じ構成でよいため、説明を省略する。
【０１６０】
図８は、本発明の第３の実施形態における端末装置１の無線リソース要求に関する送信方法選択処理の一例を示したフローチャート図である。図８は、ＭＡＣ層（すなわちＭＡＣ層の機能を実現する各ブロック）で実施される。第１のセルと第２のセルの意味は図４と同じである。
【０１６１】
ここで、端末装置１が行う図８の各処理として、ステップＳ３０１以外の処理は第２の実施形態で説明した図７と同じであるため、以下では図８のステップＳ３０１の説明のみを行う。ただし、図８で記載を省略したその他の処理については、対応する図７の説明に基づいて端末装置１は動作するものとする。
【０１６２】
端末装置１は、ＳＲ状態がＰｅｎｄｉｎｇ状態であるとき（ステップＳ３００でＹｅｓ）に、ステップＳ３０１の処理を行う。ステップＳ３０１において、端末装置１は、ステップＳ３００で判断（判定、決定）されたＰｅｎｄｉｎｇ状態が、第１のセルと第２のセルのどちらのものかによって、異なる処理を行う。すなわち、端末装置１は、ステップＳ３０１において第２セルのＳＲ状態がＰｅｎｄｉｎｇ状態と判断（判定、決定）されたとき、ステップＳ３０２の処理を行うように動作する。一方、端末装置１は、ステップＳ３０１において第１セルのＳＲ状態がＰｅｎｄｉｎｇ状態であると判断（判定、決定）されたとき、ステップＳ３０３の処理を行うように動作する。
【０１６３】
ステップＳ３０１の動作をサポートするため、第３の実施形態の端末装置１は、第１のセルと第２のセルとで、ＳＲ状態をそれぞれ管理する機能を持つ。すなわち、端末装置１は、基地局装置２から設定されるセルグループ数に対応した複数のＳＲ状態をそれぞれ管理する機能を持つ。この機能は端末装置１のＭＡＣ層で実現されることが望ましい。
【０１６４】
端末装置１は、ステップＳ３０１以降、ＳＲ−ＰＵＣＣＨが第２のセルで有効かどうか（ステップＳ３０２）、および、ＳＲ−ＰＵＣＣＨが第１のセルで有効かどうか（ステップＳ３０３）に応じて、第２のセルにおけるＳＲ−ＰＵＣＣＨ送信処理（ステップＳ３０４）、第１のセルにおけるＳＲ−ＰＵＣＣＨ送信処理（ステップＳ３０５）、第１のセルにおけるランダムアクセス送信処理（ステップＳ３０６）のいずれかを実施する。
【０１６５】
また、端末装置１は、複数のセルグループ（すなわち、セカンダリセルグループ）の第２のセルでＳＲ−ＰＵＣＣＨが有効である場合、ＳＲ状態がＰｅｎｄｉｎｇとなったセルグループに対応する第２のセルでＳＲ−ＰＵＣＣＨの送信処理を行う。
【０１６６】
このように構成することよって、端末装置１は、複数のセル、またはセルグループに対応した物理上りリンク制御チャネルを送信することができ、基地局装置２への無線リソース要求を適切に行うことができる。すなわち、端末装置１は、ある第１のセルグループに対応する物理上りリンク制御チャネルと、ある第１のセルグループに対応する物理ランダムアクセスチャネルと、ある第２のセルグループに対応する物理上りリンク制御チャネルと、のいずれかを用いた無線リソース要求を、端末装置１の設定情報と無線リソース要求が必要な上りリンクバッファに対応するセル（セルグループ）に基づいて適切に選択する通信方法を行うことができる。
【０１６７】
本実施形態の端末装置１は、自装置に通知された設定情報と無線リソース要求が必要な上りリンクバッファに対応するセル（セルグループ）に基づいて、効率的な上りリンク制御情報の送信手順を実施することが可能となる。また、本実施形態の基地局装置２は、上りリンク制御情報の送信手順を選択するために適切な上りリンクの制御情報を通知することによって、端末装置１を、複数のセルに対して物理上りリンク制御チャネルが設定されたネットワークに対応させることが可能となる。
【０１６８】
第３の実施形態によれば、端末装置１は、基地局装置２から設定されたセルと、上りリンクの制御情報と、無線リソース要求が必要な上りリンクバッファに対応するセル（セルグループ）とに基づいて、適切な無線リソース要求の送信処理方法を選択して送信することできるため、送信手順が効率化される。また、基地局装置２は、端末装置１における効率的な送信手順に基づいて送信された無線リソース要求を受信するため、端末装置１に対して複数のセルを用いた適切なスケジューリングを提供することができる。そのため、端末装置１に対するスループットを向上することができる。
【０１６９】
なお、以上説明した実施形態は単なる例示に過ぎず、様々な変形例、置換例を用いて実現することができる。例えば、本上りリンク送信方式は、ＦＤＤ（周波数分割復信）方式とＴＤＤ（時分割復信）方式のどちらの通信システムに対しても適用可能である。また、下りリンクの測定値は、パスロスや、それ以外の測定値（ＳＩＲ、ＳＩＮＲ、ＲＳＲＰ、ＲＳＲＱ、ＲＳＳＩ、ＢＬＥＲ）を代わり用いても良いし、これらの測定値の複数を組み合わせて使用することも可能である。また、実施形態で示される各パラメータの名称は、説明の便宜上呼称しているものであって、実際に適用されるパラメータ名称と本発明の実施形態のパラメータ名称とが異なっていても、本発明の実施形態において主張する発明の趣旨に影響するものではない。
【０１７０】
また、端末装置１とは、移動する端末に限らず、固定端末に端末装置１の機能を実装することなどにより本発明の実施形態を実現しても良い。端末装置は、ユーザ端末、移動局装置、通信端末、移動機、端末、ＵＥ（Ｕｓｅｒ  Ｅｑｕｉｐｍｅｎｔ）、ＭＳ（Ｍｏｂｉｌｅ  Ｓｔａｔｉｏｎ）とも称される。基地局装置は、無線基地局装置、基地局、無線基地局、固定局、ＮＢ（Ｎｏｄｅ−Ｂ）、ｅＮＢ（ｅｖｏｌｖｅｄ  Ｎｏｄｅ−Ｂ）、ＢＴＳ（Ｂａｓｅ  Ｔｒａｎｓｃｅｉｖｅｒ  Ｓｔａｔｉｏｎ）、ＢＳ（Ｂａｓｅ  Ｓｔａｔｉｏｎ）とも称される。
【０１７１】
なお、３ＧＰＰが規定する基地局装置２はノードＢ（NodeB）と称され、ＥＵＴＲＡおよびＡｄｖａｎｃｅｄ  ＥＵＴＲＡにおける基地局装置２はイーノードＢ（eNodeB）と称される。なお、３ＧＰＰが規定するＥＵＴＲＡおよびＡｄｖａｎｃｅｄ  ＥＵＴＲＡにおける端末装置１はＵＥ（Ｕｓｅｒ  Ｅｑｕｉｐｍｅｎｔ）と称される。
【０１７２】
また、説明の便宜上、実施形態の端末装置１および基地局装置２を機能的なブロック図を用いて説明したが、端末装置１および基地局装置２の各部の機能またはこれらの機能の一部を実現するための方法またはアルゴリズムのステップは、ハードウェア、プロセッサによって実行されるソフトウェアモジュール、またはこれら２つを組み合わせたものによって、直接的に具体化され得る。もしソフトウェアによって実装されるのであれば、その機能は、コンピュータ読み取り可能な媒体上の一つ以上の命令またはコードとして保持され、または伝達され得る。コンピュータ読み取り可能な媒体は、コンピュータプログラムをある場所から別の場所への持ち運びを助ける媒体を含むコミュニケーションメディアやコンピュータ記録メディアの両方を含む。
【０１７３】
そして、一つ以上の命令またはコードをコンピュータ読み取り可能な記録媒体に記録し、この記録媒体に記録された一つ以上の命令またはコードをコンピュータシステムに読み込ませ、実行することにより端末装置１や基地局装置２の制御を行なっても良い。なお、ここでいう「コンピュータシステム」とは、ＯＳや周辺機器等のハードウェアを含むものとする。
【０１７４】
本発明の各実施形態に記載の動作をプログラムで実現してもよい。本発明の各実施形態に関わる端末装置１および基地局装置２で動作するプログラムは、本発明の各実施形態に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。また、プログラムを実行することにより、上述した実施形態の機能が実現されるだけでなく、そのプログラムの指示に基づき、オペレーティングシステムあるいは他のアプリケーションプログラム等と共同して処理することにより、本発明の各実施形態の機能が実現される場合もある。
【０１７５】
また、「コンピュータ読み取り可能な記録媒体」とは、半導体媒体（例えば、ＲＡＭ、不揮発性メモリカード等）、光記録媒体（例えば、DVD、MO、MD、CD、BD等）、磁気記録媒体（例えば、磁気テープ、フレキシブルディスク等）等の可搬媒体、コンピュータシステムに内蔵されるディスクユニット等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。
【０１７６】
また、上記プログラムは、前述した機能の一部を実現するためのものであっても良く、さらに、前述した機能をコンピュータシステムに既に記録されているプログラムとの組み合わせで実現できるものであっても良い。
【０１７７】
また、上記各実施形態に用いた端末装置１および基地局装置２の各機能ブロック、または諸特徴は、本明細書で述べられた機能を実行するように設計された汎用用途プロセッサ、デジタルシグナルプロセッサ（ＤＳＰ）、特定用途向けあるいは一般用途向けの集積回路（ＡＳＩＣ）、フィールドプログラマブルゲートアレイシグナル（ＦＰＧＡ）、またはその他のプログラマブル論理デバイス、ディスクリートゲートまたはトランジスタロジック、ディスクリートハードウェア部品、またはこれらを組み合わせたものによって、実装または実行され得る。汎用用途プロセッサは、マイクロプロセッサであっても良いが、代わりにプロセッサは従来型のプロセッサ、コントローラ、マイクロコントローラ、またはステートマシンであっても良い。汎用用途プロセッサ、または上述した各回路は、デジタル回路で構成されていてもよいし、アナログ回路で構成されていてもよい。
【０１７８】
プロセッサはまた、コンピューティングデバイスを組み合わせたものとして実装されても良い。例えば、ＤＳＰとマイクロプロセッサ、複数のマイクロプロセッサ、ＤＳＰコアと接続された一つ以上のマイクロプロセッサ、またはその他のそのような構成を組み合わせたものである。
【０１７９】
以上、この発明の実施形態について特定の具体例に基づいて詳述してきたが、本発明の各実施形態の趣旨ならびに特許請求の範囲は、これら特定の具体例に限定されないことは明らかである。すなわち、本明細書の記載は例示説明を目的としたものであり、本発明の各実施形態に対して何ら制限を加えるものではない。
【産業上の利用可能性】
【０１８０】
本発明は、可搬型の携帯電話、パーソナル・コンピュータ、タブレット型コンピュータ、あるいは可動型の装置のみならず、屋内外に設置される据え置き型、または非可動型の電子機器、たとえば、ＡＶ機器、キッチン機器、掃除・洗濯機器、空調機器、オフィス機器、自動販売機、その他生活機器や測定機器、車載装置、さらに身に着けることが可能なウェアラブル機器やヘルスケア機器などの通信機能を搭載した各種装置などに適用できる。
【符号の説明】
【０１８１】
１    端末装置
２、２−１、２−２    基地局装置
１０１、２０１    受信部
１０２、２０２    復調部
１０３、２０３    復号部
１０４    測定処理部
１０５、２０４    制御部
１０６    上りリンクバッファ制御部
１０７、２０５    符号部
１０８、２０６    変調部
１０９、２０７    送信部
１１０    上りリンク無線リソース要求制御部
１１１    ランダムアクセス制御部
１１２、２０８    上位レイヤ部
２０９    ネットワーク信号送受信部
３００    ＭＭＥ
４００    ＳＧＷ
【図１】
0006484857.tif 000002
【図２】
0006484857.tif 000003
【図３】
0006484857.tif 000004
【図４】
0006484857.tif 000005
【図５】
0006484857.tif 000006
【図６】
0006484857.tif 000007
【図７】
0006484857.tif 000008
【図８】
0006484857.tif 000009
【図９】
0006484857.tif 000010
【図１０】
0006484857.tif 000011